(57)【要約】【課題】処理を行う際に利用者の要求に応じた入力機能及び出力機能の設定を可能として操作性を向上させる。【解決手段】入力機能毎に示された項目キー、及び出力機能毎に示された項目キーを表示する処理を行う表示処理部と、表示される入力機能を示す項目キーと、出力機能を示す項目キーとを３秒毎に切り替える切替部と、入力機能を示す項目キー及び出力機能を示す項目キーの選択を操作タッチパネルから受け付ける選択受付部と、を備え、表示処理部は、切替部による切り替えで入力機能を示す項目キー又は出力機能を示す項目キーを表示処理する。【選択図】        図５
2007041725.tif 000002
【特許請求の範囲】
【請求項１】
利用者からの選択を受け付けた場合に実行する入力機能を表した入力指示領域、及び選択を受け付けた場合に実行する出力機能を表した出力指示領域を、表示する表示処理手段と、
前記表示処理手段により表示される前記入力指示領域と、前記出力指示領域とを切り替える切替手段と、
前記表示処理手段により表示された前記入力指示領域及び前記出力指示領域の選択を受け付ける選択受付手段と、を備え、
前記表示処理手段は、前記切替手段により切り替えられた前記入力指示領域及び前記出力指示領域を表示すること、
を特徴とする表示処理装置。
【請求項２】
表示可能な座標入力面を有し、該座標入力面に対する触接から指示を受け付ける表示部を、さらに備え、
前記表示処理手段は、前記入力指示領域及び前記出力指示領域を、前記表示部に表示し、
前記選択受付手段は、前記表示処理手段により表示された前記入力指示領域及び前記出力指示領域の選択を、前記表示部の前記座標入力面に対する指示から受け付けること、
を特徴とする請求項１に記載の表示処理装置。
【請求項３】
利用者に実行可能な機能を認識させることを基準に設定された所定のサイズの表示領域を有している表示部を備え、
前記表示処理手段は、前記入力指示領域及び前記出力指示領域を、前記表示部に表示することを特徴とする請求項１に記載の表示処理装置。
【請求項４】
前記切替手段は、前記表示処理手段により表示される前記入力指示領域と、前記出力指示領域とを予め定められた時間毎に切り替えることを特徴とする請求項１に記載の表示処理装置。
【請求項５】
前記表示処理手段は、さらに前記選択受付手段により前記入力指示領域又は前記出力指示領域の選択を受け付けた場合、選択を受け付けた前記入力指示領域又は前記出力指示領域に対応する前記入力機能及び前記出力機能を用いて処理した結果の概略を示すプレビューを表示することを特徴とする請求項１に記載の表示処理装置。
【請求項６】
前記表示処理手段は、前記入力指示領域又は前記出力指示領域が外面に表された３次元形状モデルを表示し、
前記切替手段は、前記表示処理手段により表示される前記入力指示領域と、前記出力指示領域とを切り替えるよう前記３次元形状モデルの回転制御を行い、
前記表示処理手段は、前記切替手段による回転制御で切り替えられた前記入力指示領域又は前記出力指示領域を表示すること、
を特徴とする請求項１に記載の表示処理装置。
【請求項７】
前記表示処理手段は、前記入力指示領域又は前記出力指示領域が、面毎に表された前記３次元形状モデルを表示すること、
を特徴とする請求項６に記載の表示処理装置。
【請求項８】
前記表示処理手段は、対向する面を有し、且つ該対向する２つの面のそれぞれに所定の関係にある前記入力指示領域と前記出力指示領域を表した前記３次元形状モデルを表示すること、
を特徴とする請求項７に記載の表示処理装置。
【請求項９】
前記切替手段は、前記表示処理手段により表示される前記入力指示領域と、前記出力指示領域とを予め定められた時間毎に切り替えることを特徴とする請求項６に記載の表示処理装置。
【請求項１０】
前記切替手段は、回転制御した後の静止した状態で前記表示処理手段により前記３次元形状モデルの前記入力指示領域毎の面積又は、前記出力指示領域毎の面積が、ほぼ等しく表示されるように配置された回転軸を用いて、前記３次元形状モデルを回転制御することを特徴とする請求項６に記載の表示処理装置。
【請求項１１】
前記表示処理手段は、前記入力指示領域及び前記出力指示領域のいずれか１つ以上を複数個表示することを特徴とする請求項６に記載の表示処理装置。
【請求項１２】
前記選択受付手段は、前記表示処理手段により複数個表示された前記入力指示領域及び前記出力指示領域のいずれか１つ以上から複数選択を受け付けること、
を特徴とする請求項１１に記載の表示処理装置。
【請求項１３】
前記表示処理手段は、さらに前記選択受付手段により前記入力指示領域又は前記出力指示領域の選択を複数受け付ける場合、選択を受け付ける毎に選択を受け付けた前記入力指示領域又は前記出力指示領域に対応付けられた前記入力機能又は前記出力機能の実行に用いる設定項目を表示することを特徴とする請求項１１に記載された表示処理装置。
【請求項１４】
前記表示処理手段は、前記入力指示領域として、記憶手段に記憶された画像情報の入力処理を示す読込指示領域と、紙原稿をスキャンして画像情報の入力処理を示すスキャン指示領域と、ネットワークから受信した画像情報の入力処理を示す受信指示領域と、を表示することを特徴とする請求項１１に記載の表示処理装置。
【請求項１５】
前記表示処理手段は、前記出力指示領域として、記憶手段に画像情報を記憶させる処理を示す書込指示領域と、画像情報の印刷する処理を示す印刷指示領域と、画像情報をネットワークに送信する処理を示す送信指示領域と、を表示することを特徴とする請求項１１に記載の表示処理装置。
【請求項１６】
前記表示処理手段は、さらに前記選択受付手段により前記入力指示領域及び前記出力指示領域のうちいずれか１つ以上の選択を受け付けた場合、選択を受け付けた前記入力指示領域又は前記出力指示領域に対応付けられた前記入力機能又は前記出力機能の実行に用いる設定項目を表示することを特徴とする請求項１に記載の表示処理装置。
【請求項１７】
利用者からの選択を受け付けた場合に実行する入力機能を表した入力指示領域、及び選択を受け付けた場合に実行する出力機能を表した出力指示領域を、表示する表示処理ステップと、
前記表示処理ステップにより表示される前記入力指示領域と、前記出力指示領域とを切り替える切替ステップと、
前記表示処理ステップにより表示された前記入力指示領域及び前記出力指示領域の選択を受け付ける選択受付ステップと、を備え、
前記表示処理ステップは、前記切替ステップにより切り替えられた前記入力指示領域及び前記出力指示領域を表示すること、
を特徴とする表示処理方法。
【請求項１８】
前記表示処理ステップは、前記入力指示領域及び前記出力指示領域を、表示可能な座標入力面を有し且つ該座標入力面に対する触接から指示を受け付ける表示部に表示し、
前記選択受付ステップは、前記表示処理ステップにより表示された前記入力指示領域及び前記出力指示領域の選択を、表示可能な座標入力面を有し且つ該座標入力面に対する触接から指示を受け付ける前記表示部の、該座標入力面からの指示により受け付けること、
を特徴とする請求項１７に記載の表示処理方法。
【請求項１９】
前記表示処理ステップは、前記入力指示領域及び前記出力指示領域を、利用者に実行可能な機能を認識させることを基準に設定された所定のサイズの表示領域を有している表示部に表示すること、
を特徴とする請求項１７に記載の表示処理方法。
【請求項２０】
前記切替ステップは、前記表示処理ステップにより表示される前記入力指示領域と、前記出力指示領域とを予め定められた時間毎に切り替えることを特徴とする請求項１７に記載の表示処理方法。
【請求項２１】
前記表示処理ステップは、さらに前記選択受付ステップにより前記入力指示領域又は前記出力指示領域の選択を受け付けた場合、選択を受け付けた前記入力指示領域又は前記出力指示領域に対応する前記入力機能及び前記出力機能を用いて処理した結果の概略を示すプレビューを表示することを特徴とする請求項１７に記載の表示処理方法。
【請求項２２】
前記表示処理ステップは、前記入力指示領域又は前記出力指示領域が外面に表された３次元形状モデルを表示し、
前記切替ステップは、前記表示処理ステップにより表示される前記入力指示領域と、前記出力指示領域とを切り替えるよう前記３次元形状モデルの回転制御を行い、
前記表示処理ステップは、前記切替ステップによる回転制御で切り替えられた前記入力指示領域又は前記出力指示領域を表示すること、
を特徴とする請求項１７に記載の表示処理方法。
【請求項２３】
前記表示処理ステップは、前記入力指示領域又は前記出力指示領域が、面毎に表された前記３次元形状モデルを表示すること、
を特徴とする請求項２２に記載の表示処理方法。
【請求項２４】
前記表示処理ステップは、対向する面を有し、且つ該対向する２つの面のそれぞれに所定の関係にある前記入力指示領域と前記出力指示領域を表した前記３次元形状モデルを表示すること、
を特徴とする請求項２３に記載の表示処理方法。
【請求項２５】
前記切替ステップは、前記表示処理ステップにより表示される前記入力指示領域と、前記出力指示領域とを予め定められた時間毎に切り替えることを特徴とする請求項２２に記載の表示処理方法。
【請求項２６】
前記切替ステップは、回転制御した後の静止した状態で前記表示処理ステップにより前記３次元形状モデルの前記入力指示領域毎の面積又は、前記出力指示領域毎の面積が、ほぼ等しく表示されるように配置された回転軸を用いて、前記３次元形状モデルを回転制御すること、
を特徴とする請求項２２に記載の表示処理方法。
【請求項２７】
前記表示処理ステップは、前記入力指示領域及び前記出力指示領域のいずれか１つ以上を複数個表示することを特徴とする請求項２２に記載の表示処理方法。
【請求項２８】
前記選択受付ステップは、前記表示処理ステップにより複数個表示された前記入力指示領域及び前記出力指示領域のいずれか１つ以上から複数選択を受け付けること、
を特徴とする請求項２７に記載の表示処理方法。
【請求項２９】
前記表示処理ステップは、さらに前記選択受付ステップにより前記入力指示領域又は前記出力指示領域の選択を複数受け付ける場合、選択を受け付ける毎に選択を受け付けた前記入力指示領域又は前記出力指示領域に対応付けられた前記入力機能又は前記出力機能の実行に用いる設定項目を表示することを特徴とする請求項２７に記載の表示処理方法。
【請求項３０】
前記表示処理ステップは、前記入力指示領域として、記憶手段に記憶された画像情報の入力処理を示す読込指示領域と、紙原稿をスキャンして画像情報の入力処理を示すスキャン指示領域と、ネットワークから受信した画像情報の入力処理を示す受信指示領域と、を表示することを特徴とする請求項２９に記載の表示処理方法。
【請求項３１】
前記表示処理ステップは、前記出力指示領域として、記憶手段に画像情報を記憶させる処理を示す書込指示領域と、画像情報の印刷する処理を示す印刷指示領域と、画像情報をネットワークに送信する処理を示す送信指示領域と、を表示することを特徴とする請求項２７に記載の表示処理方法。
【請求項３２】
前記表示処理ステップは、さらに前記選択受付ステップにより前記入力指示領域及び前記出力指示領域のうちいずれか１つ以上の選択を受け付けた場合、選択を受け付けた前記入力指示領域又は前記出力指示領域に対応付けられた前記入力機能又は前記出力機能の実行に用いる設定項目を表示することを特徴とする請求項１７に記載の表示処理方法。
【請求項３３】
請求項１７乃至請求項３２のいずれか１つに記載された表示処理方法をコンピュータで実行させることを特徴とする表示処理プログラム。
【発明の詳細な説明】
【技術分野】
【０００１】
本発明は、表示処理装置、表示処理方法及び表示処理プログラムに関するものであり、特に機能の表示を所定の時間毎に切り替えて操作性の向上を図る技術に関するものである。
【背景技術】
【０００２】
従来、画像形成装置などの操作パネルを備えた装置において、利用者が所望する詳細な設定を行うのは難しい。これは上記の装置では、利用者に機能を表示するための必要十分なサイズの画面しか備えていないと共に、設定するために用いられるインターフェースがテンキーやタッチパネル等しか備えていないなかで、画面上に設定可能な全ての機能が表示しなければならない。つまり画面に表示された項目が煩雑となり、表示された各項目から利用者が所望する機能を選択して設定することは容易ではない。また、表示された機能であっても、利用者が理解していない機能を選択することは回避する傾向にある。
【０００３】
また、上記の装置では従来から用いられたユーザインターフェースを変更されることを利用者が望んでいないと開発者が考えているためか、操作性を向上させるための表示方法について積極的な提案は行われていない。このため、使用できない機能が設定されることを防止するために、当該機能の表示を行わない程度に留まっている（例えば特許文献１）。
【０００４】
一方、ＰＣ(Personal Computer)は、利用者のニーズに応じて画面サイズや、解像度等を選択できる。このため、ソフトウェアが機能を提供する際に、画面に機能を表示する場合には様々な技術が提案されている。例えば、利用者が利用方法の不明な機能があれば、ヘルプ画面等を容易に表示することが出来る。
【０００５】
また、ＰＣにおいて、デスクトップ画面上に仮想多面体を表示し、表示された仮想多面体の面毎に異なるツールを備え、この仮想多面体を回転させることで表示されるツールを切り替える技術が提案されている（例えば特許文献２）。
【０００６】
また、ＰＣは、キーボードやポインティングデバイス等の豊富なユーザインターフェースを備えているため、利用者が所望する機能を設定するのが容易である。上記の特許文献２に記載された発明においてもポインティングデバイス等のインターフェースを用いて、表示された仮想多面体を回転させている。この仮想多面体の面に示されたツールは、従来から存在するツールウィンドウと同様に様々な設定を行うことが可能である。このような様々な設定はポインティングデバイスにより詳細な位置まで特定できるデバイスもしくはキーボードのように様々なキーで入力が可能だからこそ行えるものである。
【０００７】
【特許文献１】特開２００１−１９４９６３号公報
【特許文献２】特開２０００−８９８８６号公報
【発明の開示】
【発明が解決しようとする課題】
【０００８】
しかしながら、特許文献１に記載された、使用できない機能に該当する項目を画面から非表示にする技術は、使用できない機能を利用者が誤って選択することを防止するに留まるものである。つまり、このような表示技術を用いて、通常行われる入出力機能を設定する際の操作性を向上させることはできないという問題がある。
【０００９】
一方、特許文献２に記載されているＰＣに対して提供されている表示技術を、画像形成装置等に移転することは難しいという問題がある。これは、ＰＣのモニタは、利用者が様々な作業を行うことを前提に設計されているのでサイズが大きく、高解像度で表示できるので、上記表示技術を用いることを可能としている。また、ＰＣのモニタも配置するスペースを減少させるために液晶パネルを用いる傾向が増えつつあるが、省スペース化はモニタのサイズを保持することを前提としている。
【００１０】
これに対して画像形成装置に備えられた液晶タッチパネルは、画像形成装置が備えた機能を設定する際にのみ用いられるものであるので、機能を表示して設定するために必要十分なサイズの液晶タッチパネルを備えていればよく、ＰＣのモニタほどのサイズ及び高解像度を必要としない。さらに、画像形成装置の配置するスペースや、紙原稿を配置するためのコンタクトガラス等の他の機能の配置等を考慮する必要があるため、画像形成装置に備え付けることが可能な液晶タッチパネルのサイズに制限があるという問題がある。また、この問題は、画像形成装置のみならず、携帯するため又は設置場所の関係から表示部のサイズが制限された機器において同様に存在する。
【００１１】
このように、液晶タッチパネル等の表示部のサイズより、携帯性、省スペース性又は他の機能が優先される装置では、ＰＣで用いることを前提に提案された表示技術を用いることはできないという問題がある。
【００１２】
同様に、インターフェースより携帯性、省スペース性又は他の機能が優先される機器では、キーボード及びポインティングデバイスを備えているＰＣのように豊富な入力手段を備えていないため、ＰＣで用いることを前提に提案された表示技術を用いても機能を設定することが困難であるという問題がある。例えば、ポインティングデバイスでは、数ドット単位で位置を指定することができるが、液晶タッチパネルで利用者が指で機能を選択する場合には数ドット単位で位置を指定することは困難である。
【００１３】
本発明は、上記に鑑みてなされたものであって、処理を行う際に利用者の要求に応じた入力機能及び出力機能の設定を可能として操作性を向上させる表示処理装置、表示処理方法及び表示処理プログラムを提供することを目的とする。
【課題を解決するための手段】
【００１４】
上述した課題を解決し、目的を達成するために、請求項１にかかる発明は、利用者からの選択を受け付けた場合に実行する入力機能を表した入力指示領域、及び選択を受け付けた場合に実行する出力機能を表した出力指示領域を、表示する表示処理手段と、前記表示処理手段により表示される前記入力指示領域と、前記出力指示領域とを切り替える切替手段と、前記表示処理手段により表示された前記入力指示領域及び前記出力指示領域の選択を受け付ける選択受付手段と、を備え、前記表示処理手段は、前記切替手段により切り替えられた前記入力指示領域及び前記出力指示領域を表示することを特徴とする。
【００１５】
また、請求項２にかかる発明は、請求項１にかかる発明において、表示可能な座標入力面を有し、該座標入力面に対する触接から指示を受け付ける表示部を、さらに備え、前記表示処理手段は、前記入力指示領域及び前記出力指示領域を、前記表示部に表示し、前記選択受付手段は、前記表示処理手段により表示された前記入力指示領域及び前記出力指示領域の選択を、前記表示部の前記座標入力面に対する指示から受け付けることを特徴とする。
【００１６】
また、請求項３にかかる発明は、請求項１にかかる発明において、利用者に実行可能な機能を認識させることを基準に設定された所定のサイズの表示領域を有している表示部を備え、前記表示処理手段は、前記入力指示領域及び前記出力指示領域を、前記表示部に表示することを特徴とする。
【００１７】
また、請求項４にかかる発明は、請求項１にかかる発明において、前記切替手段は、前記表示処理手段により表示される前記入力指示領域と、前記出力指示領域とを予め定められた時間毎に切り替えることを特徴とする。
【００１８】
また、請求項５にかかる発明は、請求項１にかかる発明において、前記表示処理手段は、さらに前記選択受付手段により前記入力指示領域又は前記出力指示領域の選択を受け付けた場合、選択を受け付けた前記入力指示領域又は前記出力指示領域に対応する前記入力機能及び前記出力機能を用いて処理した結果の概略を示すプレビューを表示することを特徴とする。
【００１９】
また、請求項６にかかる発明は、請求項１にかかる発明において、前記表示処理手段は、前記入力指示領域又は前記出力指示領域が外面に表された３次元形状モデルを表示し、前記切替手段は、前記表示処理手段により表示される前記入力指示領域と、前記出力指示領域とを切り替えるよう前記３次元形状モデルの回転制御を行い、前記表示処理手段は、前記切替手段による回転制御で切り替えられた前記入力指示領域又は前記出力指示領域を表示することを特徴とする。
【００２０】
また、請求項７にかかる発明は、請求項６にかかる発明において、前記表示処理手段は、前記入力指示領域又は前記出力指示領域が、面毎に表された前記３次元形状モデルを表示することを特徴とする。
【００２１】
また、請求項８にかかる発明は、請求項７にかかる発明において、前記表示処理手段は、対向する面を有し、且つ該対向する２つの面のそれぞれに所定の関係にある前記入力指示領域と前記出力指示領域を表した前記３次元形状モデルを表示することを特徴とする。
【００２２】
また、請求項９にかかる発明は、請求項６にかかる発明において、前記切替手段は、前記表示処理手段により表示される前記入力指示領域と、前記出力指示領域とを予め定められた時間毎に切り替えることを特徴とする。
【００２３】
また、請求項１０にかかる発明は、請求項６にかかる発明において、前記切替手段は、回転制御した後の静止した状態で前記表示処理手段により前記３次元形状モデルの前記入力指示領域毎の面積又は、前記出力指示領域毎の面積が、ほぼ等しく表示されるように配置された回転軸を用いて、前記３次元形状モデルを回転制御することを特徴とする。
【００２４】
また、請求項１１にかかる発明は、請求項６にかかる発明において、前記表示処理手段は、前記入力指示領域及び前記出力指示領域のいずれか１つ以上を複数個表示することを特徴とする。
【００２５】
また、請求項１２にかかる発明は、請求項１１にかかる発明において、前記選択受付手段は、前記表示処理手段により複数個表示された前記入力指示領域及び前記出力指示領域のいずれか１つ以上から複数選択を受け付けることを特徴とする。
【００２６】
また、請求項１３にかかる発明は、請求項１１にかかる発明において、前記表示処理手段は、さらに前記選択受付手段により前記入力指示領域又は前記出力指示領域の選択を複数受け付ける場合、選択を受け付ける毎に選択を受け付けた前記入力指示領域又は前記出力指示領域に対応付けられた前記入力機能又は前記出力機能の実行に用いる設定項目を表示することを特徴とする。
【００２７】
また、請求項１４にかかる発明は、請求項１１にかかる発明において、前記表示処理手段は、前記入力指示領域として、記憶手段に記憶された画像情報の入力処理を示す読込指示領域と、紙原稿をスキャンして画像情報の入力処理を示すスキャン指示領域と、ネットワークから受信した画像情報の入力処理を示す受信指示領域と、を表示することを特徴とする。
【００２８】
また、請求項１５にかかる発明は、請求項１１にかかる発明において、前記表示処理手段は、前記出力指示領域として、記憶手段に画像情報を記憶させる処理を示す書込指示領域と、画像情報の印刷する処理を示す印刷指示領域と、画像情報をネットワークに送信する処理を示す送信指示領域と、を表示することを特徴とする。
【００２９】
また、請求項１６にかかる発明は、請求項１にかかる発明において、前記表示処理手段は、さらに前記選択受付手段により前記入力指示領域及び前記出力指示領域のうちいずれか１つ以上の選択を受け付けた場合、選択を受け付けた前記入力指示領域又は前記出力指示領域に対応付けられた前記入力機能又は前記出力機能の実行に用いる設定項目を表示することを特徴とする。
【００３０】
また、請求項１７にかかる発明は、利用者からの選択を受け付けた場合に実行する入力機能を表した入力指示領域、及び選択を受け付けた場合に実行する出力機能を表した出力指示領域を、表示する表示処理ステップと、前記表示処理ステップにより表示される前記入力指示領域と、前記出力指示領域とを切り替える切替ステップと、前記表示処理ステップにより表示された前記入力指示領域及び前記出力指示領域の選択を受け付ける選択受付ステップと、を備え、前記表示処理ステップは、前記切替ステップにより切り替えられた前記入力指示領域及び前記出力指示領域を表示することを特徴とする。
【００３１】
また、請求項１８にかかる発明は、請求項１７にかかる発明において、前記表示処理ステップは、前記入力指示領域及び前記出力指示領域を、表示可能な座標入力面を有し且つ該座標入力面に対する触接から指示を受け付ける表示部に表示し、前記選択受付ステップは、前記表示処理ステップにより表示された前記入力指示領域及び前記出力指示領域の選択を、表示可能な座標入力面を有し且つ該座標入力面に対する触接から指示を受け付ける前記表示部の、該座標入力面からの指示により受け付けることを特徴とする。
【００３２】
また、請求項１９にかかる発明は、請求項１７にかかる発明において、前記表示処理ステップは、前記入力指示領域及び前記出力指示領域を、利用者に実行可能な機能を認識させることを基準に設定された所定のサイズの表示領域を有している表示部に表示すること
を特徴とする。
【００３３】
また、請求項２０にかかる発明は、請求項１７にかかる発明において、前記切替ステップは、前記表示処理ステップにより表示される前記入力指示領域と、前記出力指示領域とを予め定められた時間毎に切り替えることを特徴とする。
【００３４】
また、請求項２１にかかる発明は、請求項１７にかかる発明において、前記表示処理ステップは、さらに前記選択受付ステップにより前記入力指示領域又は前記出力指示領域の選択を受け付けた場合、選択を受け付けた前記入力指示領域又は前記出力指示領域に対応する前記入力機能及び前記出力機能を用いて処理した結果の概略を示すプレビューを表示することを特徴とする。
【００３５】
また、請求項２２にかかる発明は、請求項１７にかかる発明において、前記表示処理ステップは、前記入力指示領域又は前記出力指示領域が外面に表された３次元形状モデルを表示し、前記切替ステップは、前記表示処理ステップにより表示される前記入力指示領域と、前記出力指示領域とを切り替えるよう前記３次元形状モデルの回転制御を行い、前記表示処理ステップは、前記切替ステップによる回転制御で切り替えられた前記入力指示領域又は前記出力指示領域を表示することを特徴とする。
【００３６】
また、請求項２３にかかる発明は、請求項２２にかかる発明において、前記表示処理ステップは、前記入力指示領域又は前記出力指示領域が、面毎に表された前記３次元形状モデルを表示することを特徴とする。
【００３７】
また、請求項２４にかかる発明は、請求項２３にかかる発明において、前記表示処理ステップは、対向する面を有し、且つ該対向する２つの面のそれぞれに所定の関係にある前記入力指示領域と前記出力指示領域を表した前記３次元形状モデルを表示することを特徴とする。
【００３８】
また、請求項２５にかかる発明は、請求項２２にかかる発明において、前記切替ステップは、前記表示処理ステップにより表示される前記入力指示領域と、前記出力指示領域とを予め定められた時間毎に切り替えることを特徴とする。
【００３９】
また、請求項２６にかかる発明は、請求項２２にかかる発明において、前記切替ステップは、回転制御した後の静止した状態で前記表示処理ステップにより前記３次元形状モデルの前記入力指示領域毎の面積又は、前記出力指示領域毎の面積が、ほぼ等しく表示されるように配置された回転軸を用いて、前記３次元形状モデルを回転制御することを特徴とする。
【００４０】
また、請求項２７にかかる発明は、請求項２２にかかる発明において、前記表示処理ステップは、前記入力指示領域及び前記出力指示領域のいずれか１つ以上を複数個表示することを特徴とする。
【００４１】
また、請求項２８にかかる発明は、請求項２７にかかる発明において、前記選択受付ステップは、前記表示処理ステップにより複数個表示された前記入力指示領域及び前記出力指示領域のいずれか１つ以上から複数選択を受け付けることを特徴とする。
【００４２】
また、請求項２９にかかる発明は、請求項２７にかかる発明において、前記表示処理ステップは、さらに前記選択受付ステップにより前記入力指示領域又は前記出力指示領域の選択を複数受け付ける場合、選択を受け付ける毎に選択を受け付けた前記入力指示領域又は前記出力指示領域に対応付けられた前記入力機能又は前記出力機能の実行に用いる設定項目を表示することを特徴とする。
【００４３】
また、請求項３０にかかる発明は、請求項２９にかかる発明において、前記表示処理ステップは、前記入力指示領域として、記憶手段に記憶された画像情報の入力処理を示す読込指示領域と、紙原稿をスキャンして画像情報の入力処理を示すスキャン指示領域と、ネットワークから受信した画像情報の入力処理を示す受信指示領域と、を表示することを特徴とする。
【００４４】
また、請求項３１にかかる発明は、請求項２７にかかる発明において、前記表示処理ステップは、前記出力指示領域として、記憶手段に画像情報を記憶させる処理を示す書込指示領域と、画像情報の印刷する処理を示す印刷指示領域と、画像情報をネットワークに送信する処理を示す送信指示領域と、を表示することを特徴とする。
【００４５】
また、請求項３２にかかる発明は、請求項１７にかかる発明において、前記表示処理ステップは、さらに前記選択受付ステップにより前記入力指示領域及び前記出力指示領域のうちいずれか１つ以上の選択を受け付けた場合、選択を受け付けた前記入力指示領域又は前記出力指示領域に対応付けられた前記入力機能又は前記出力機能の実行に用いる設定項目を表示することを特徴とする。
【００４６】
また、請求項３３にかかる発明は、請求項１７〜３２のいずれか１つに記載された表示処理方法をコンピュータで実行させることを特徴とする。
【発明の効果】
【００４７】
本発明によれば、入力指示領域と、出力指示領域を切り替えて表示することで、選択可能な入力機能及び出力機能を利用者に把握させることができるので、選択可能な機能を把握した利用者から入力指示領域及び出力指示領域の選択を受け付けて、利用者の要求に適した入力機能及び出力機能を設定できるという効果を奏する。
【発明を実施するための最良の形態】
【００４８】
以下に添付図面を参照して、この発明にかかる表示処理装置、表示処理方法及び表示処理プログラムの最良な実施の形態を詳細に説明する。なお、本実施の形態では、この発明を画像形成装置の１種類であるＭＦＰ(Multi Function Peripheral)に適用した場合について説明するが、本発明はこれに限らず、表示処理をおこなう各種装置に適用することができる。
【００４９】
（第１の実施の形態）
まず、図１は、本実施の形態に係る表示処理装置の機能を実行することができるＭＦＰ１を取り巻くネットワーク環境を説明するためのネットワーク図である。本図に示すように、近年のネットワーク化の進展により、オフィスなどに設けられたパーソナルコンピュータ（ＰＣ）などの機器は、ＬＡＮ（Local Area Network）などのネットワークに接続され、相互に通信することが通常となった。たとえば、本図にかかるネットワークには、クライアントＰＣ、ＳＭＴＰ（Simple Mail Transfer Protocol）サーバ、ＦＴＰ（File Transfer Protocol）サーバ、サーバＰＣなどが接続され、電子メールの送受信やファイル転送をすることができ、モデム接続された配信サーバは、オフィス外のファックス装置と通信することができる。
【００５０】
このようなネットワーク化の進展に伴い、ＭＦＰ１もかかるネットワークに接続され、ＰＣ等の機器と相互に通信することが可能となり、ハードディスク等の記憶装置を内蔵することで、いわゆるネットワーク複合機へと進化し、ユーザの様々なニーズに応えることができることとなった。
【００５１】
そして、ＭＦＰ１は、通常のコピー機能に加えて、クライアントＰＣからの印刷要求により文書データ等を印刷するプリンタ機能、クライアントＰＣからのファックス要求により文書データ等をサーバＰＣに接続されたモデムを経由して他のオフィスのファックス機器に送信するファックス機能、受信したファックス文書やコピー文書を内蔵したハードディスクに蓄積する蓄積機能などを有するようになった。
【００５２】
図２は、第１の実施の形態にかかるＭＦＰ１のハードウェア構成を示すブロック図である。本図に示すように、このＭＦＰ１は、コントローラ１０とエンジン部（Engine）６０とをＰＣＩ（Peripheral Component Interconnect）バスで接続した構成となる。コントローラ１０は、ＭＦＰ１全体の制御と描画、通信、操作部２０からの入力を制御するコントローラである。エンジン部６０は、ＰＣＩバスに接続可能なプリンタエンジンなどであり、たとえば白黒プロッタ、１ドラムカラープロッタ、４ドラムカラープロッタ、スキャナまたはファックスユニットなどである。なお、このエンジン部６０には、プロッタなどのいわゆるエンジン部分に加えて、誤差拡散やガンマ変換などの画像処理部分が含まれる。
【００５３】
コントローラ１０は、ＣＰＵ１１と、ノースブリッジ（ＮＢ）１３と、システムメモリ（ＭＥＭ−Ｐ）１２と、サウスブリッジ（ＳＢ）１４と、ローカルメモリ（ＭＥＭ−Ｃ）１７と、ＡＳＩＣ（Application Specific Integrated Circuit）１６と、ハードディスクドライブ（ＨＤＤ）１８とを有し、ノースブリッジ（ＮＢ）１３とＡＳＩＣ１６との間をＡＧＰ（Accelerated Graphics Port）バス１５で接続した構成となる。また、ＭＥＭ−Ｐ１２は、ＲＯＭ（Read Only Memory）１２ａと、ＲＡＭ(Random Access Memory)１２ｂとをさらに有する。
【００５４】
ＣＰＵ１１は、ＭＦＰ１の全体制御をおこなうものであり、ＮＢ１３、ＭＥＭ−Ｐ１２およびＳＢ１４からなるチップセットを有し、このチップセットを介して他の機器と接続される。
【００５５】
ＮＢ１３は、ＣＰＵ１１とＭＥＭ−Ｐ１２、ＳＢ１４、ＡＧＰ１５とを接続するためのブリッジであり、ＭＥＭ−Ｐ１２に対する読み書きなどを制御するメモリコントローラと、ＰＣＩマスタおよびＡＧＰターゲットとを有する。
【００５６】
ＭＥＭ−Ｐ１２は、プログラムやデータの格納用メモリ、プログラムやデータの展開用メモリ、プリンタの描画用メモリなどとして用いるシステムメモリであり、ＲＯＭ１２ａとＲＡＭ１２ｂとからなる。ＲＯＭ１２ａは、プログラムやデータの格納用メモリとして用いる読み出し専用のメモリであり、ＲＡＭ１２ｂは、プログラムやデータの展開用メモリ、プリンタの描画用メモリなどとして用いる書き込みおよび読み出し可能なメモリである。
【００５７】
ＳＢ１４は、ＮＢ１３とＰＣＩデバイス、周辺デバイスとを接続するためのブリッジである。このＳＢ１４は、ＰＣＩバスを介してＮＢ１３と接続されており、このＰＣＩバスには、ネットワークインターフェース（Ｉ／Ｆ）部なども接続される。
【００５８】
ＡＳＩＣ１６は、画像処理用のハードウェア要素を有する画像処理用途向けのＩＣ（Integrated Circuit）であり、ＡＧＰ１５、ＰＣＩバス、ＨＤＤ１８およびＭＥＭ−Ｃ１７をそれぞれ接続するブリッジの役割を有する。このＡＳＩＣ１６は、ＰＣＩターゲットおよびＡＧＰマスタと、ＡＳＩＣ１６の中核をなすアービタ（ＡＲＢ）と、ＭＥＭ−Ｃ１７を制御するメモリコントローラと、ハードウェアロジックなどにより画像データの回転などをおこなう複数のＤＭＡＣ（Direct Memory Access Controller）と、エンジン部６０との間でＰＣＩバスを介したデータ転送をおこなうＰＣＩユニットとからなる。このＡＳＩＣ１６には、ＰＣＩバスを介してＦＣＵ（Fax Control Unit）３０、ＵＳＢ（Universal Serial Bus）４０、ＩＥＥＥ１３９４（the Institute of Electrical and Electronics Engineers 1394）インターフェース５０が接続される。
【００５９】
ＭＥＭ−Ｃ１７は、コピー用画像バッファ、符号バッファとして用いるローカルメモリであり、ＨＤＤ（Hard Disk Drive）１８は、画像データの蓄積、プログラムの蓄積、フォントデータの蓄積、フォームの蓄積を行うためのストレージである。
【００６０】
ＡＧＰ１５は、グラフィック処理を高速化するために提案されたグラフィックスアクセラレーターカード用のバスインターフェースであり、ＭＥＭ−Ｐ１２に高スループットで直接アクセスすることにより、グラフィックスアクセラレーターカードを高速にするものである。
【００６１】
図３は、ＭＦＰ１の操作パネル３００の一例を示した図である。本図に示したように、かかる操作パネル３００は、初期設定キー３０１、コピーキー３０２、コピーサーバーキー３０３、プリンタキー３０４、送信キー３０５、テンキー３０６、クリア／ストップキー３０７、スタートキー３０８、予熱キー３０９、リセットキー３１０および液晶タッチパネル３２０を有する。そして、液晶タッチパネル３２０に本発明の特徴となる画面が表示されることになるが、この画面については後述する。
【００６２】
図４は、第１の実施の形態にかかる表示処理装置の機能を実行することができるＭＦＰ１の機能ブロック図である。本図に示すようにＭＦＰ１は、構成としてオペレーティングシステム４５３と、サービス層４５２と、アプリケーション層４５１と、記憶部４０４とを備えている。また、本実施の形態に係る表示処理装置を、上述した構成を備えたＭＦＰ以外の画像形成装置に用いても良い。
【００６３】
図４に示すようにＭＦＰ１の機能は階層関係となっており、オペレーティングシステム４５３の上層にサービス層４５２が構築され、サービス層４５２の上層に後述する本実施の形態の特徴部分が含まれたアプリケーション層４５１が構築されている。
【００６４】
オペレーティングシステム４５３は、ハードウェアリソースを含めたＭＦＰ１の資源を管理し、サービス層４５２やアプリケーション層４５１に対して当該資源を利用した機能を提供する。
【００６５】
サービス層４５２は、ＭＦＰ１が備えているハードウェアリソースを制御するドライバーに相当する。後述するアプリケーション層４５１の実行処理部４０５からの出力処理の要求に応じて、このスキャナ制御部４２１、プロッタ制御部４２２、蓄積制御部４２３、配信／メール送受信制御部４２４、ＦＡＸ送受信制御部４２５、通信制御部４２６等からＭＦＰ１が備えているハードウェアリソースを制御して、様々な機能が実行される。
【００６６】
記憶部４０４は、紙原稿から読み込まれた又は、メール若しくはＦＡＸから受信した画像データを記憶する。また、記憶部４０４は、画像データ等のデータを記憶可能な記憶手段であり、例えばＨＤＤ、光ディスク、メモリカードなどの一般的に用いられるあらゆる記憶手段で構成することができる。
【００６７】
なお、ＭＦＰ１は、記憶部４０４以外にもスキャナ、プロッタなどの様々なハードウェアリソースを備えていることとするが、説明は省略する。
【００６８】
アプリケーション層４５１は、表示処理部４０１と、切替部４０２と、選択受付部４０３と、実行処理部４０５と、利用者認証部４０６を備え、入力処理を行う機能（以下、入力機能とする）の標記を表示する画面と、出力処理を行う機能（以下、出力機能とする）の標記を表示する画面を切り替えると共に、各画面で利用者が所望する機能の選択を受け付け、受け付けた後に入力処理及び出力処理を実行する。
【００６９】
利用者認証部４０６は、ＭＦＰ１を使用する際に、利用者の認証を行う。利用者の認証方法としては、当業者で周知な技術であるか否かを問わず、どのような認証方法を用いても良い。利用者認証部４０６で利用者の認証が成功した場合、ＭＦＰ１で所定の機能の使用が許可される。許可される機能としては、例えば、Ｅ＿ｍａｉｌの送受信等がある。また、利用者認証部４０５による利用者の認証は最初に行うこととし、後述する機能を使用する場合、既に利用者の認証は済んでいるものとする。
【００７０】
表示処理部４０１は、液晶タッチパネル３２０に、入力機能を表示する画面及び出力機能を表示する画面を表示する。
【００７１】
図５は、本実施の形態に係る表示処理部４０１により液晶タッチパネル３２０に表示される画面の一例を示した図である。本図に示すように液晶タッチパネル３２０は、後述する切替部４０２により、所定時間毎に入力機能を表示する画面と、出力機能を表示する画面が切り替える。入力機能を表示する画面には、入力機能毎に所定の領域が用意され、当該領域内に入力機能を示す文字列である入力機能標記が表されている。また、出力機能を表示する画面には、出力機能毎に所定の領域が用意され、当該領域内に出力機能を示す文字列である出力機能標記が表されている。また、表示処理部４０１は、液晶タッチパネル３２０上の入力機能毎の領域として、項目キー「Ｒｅｃｅｉｖｅ」５０１、「Ｓｃａｎ」５０２、「Ｌｏａｄ」５０３を表示する。そして、表示処理部４０１は、液晶タッチパネル３２０上の出力機能毎の領域として、項目キー「Ｓｅｎｄ」５０４、「Ｐｒｉｎｔ」５０５、「Ｓａｖｅ」５０６を表示する。
【００７２】
また、「Ｒｅｃｅｉｖｅ」５０１は、ネットワークから受信した画像データの入力処理を行う入力機能を示す項目キーとして、利用者が選択することを可能とする。また、「Ｓｃａｎ」５０２は、ＭＦＰ１に備えられたＡＤＦ（Auto Document Feeder）から紙原稿をスキャンし、又はコンタクトガラスに配置された紙原稿をスキャンして画像データの入力処理を行う入力機能を示す項目キーとし、「Ｌｏａｄ」５０３は、記憶部４０４に記憶されていた画像データを読み込むことで入力処理を行う入力機能を示す項目キーとする。つまり、本実施の形態にかかる入力機能を示す項目キーが表された領域は、換言すれば入力機能を表した入力指示領域となる。
【００７３】
一方、「Ｓｅｎｄ」５０４は画像データをメール又はＦＡＸ等によりネットワークに送信する処理を行う出力機能を示す項目キーとし、「Ｐｒｉｎｔ」５０５は画像データの印刷処理を行う出力機能の項目キーとし、「Ｓａｖｅ」５０６は画像データを記憶部４０４に書き込んで記憶させる出力機能の項目キーとする。つまり、本実施の形態にかかる出力機能を示す項目キーが表された領域は、換言すれば出力機能を表した出力指示領域となる。
【００７４】
また、入力機能を表示する画面と出力機能を表示する画面の切り替え前後で、同一領域に配置される項目キーにして表された入力機能と出力機能の間に所定の関係を有している。所定の関係は、機能についての関係であればどのような関係でも良いが、本実施の形態では入力機能により入力処理される入力元の媒体と、出力機能により出力処理される出力先の媒体が同じ性質を有している関係とする。
【００７５】
例えば、コピーを行う際には、紙媒体から読み込んで紙媒体に印刷する関係であり、これは「Ｓｃａｎ」５０２で示された紙原稿のスキャン機能と、「Ｐｒｉｎｔ」５０５で示された紙原稿として印刷機能が、上述した所定の関係にあることを示している。
【００７６】
また、ネットワークによる送受信、つまり「Ｒｅｃｅｉｖｅ」５０１で示されたネットワークから受信した画像データの入力処理を行う入力機能と、「Ｓｅｎｄ」５０４で示されたネットワークに画像データを送信する処理を行う出力機能も、同様に所定の関係にあることを示している。さらに、「Ｌｏａｄ」５０３で示された記憶部４０４に読み込んだ画像データの入力処理を行う入力機能と、「Ｓａｖｅ」５０６で示された記憶部４０４に記憶部４０４に画像データを書き込む処理を行う出力機能も、同様に所定の関係にあることを示している。
【００７７】
具体的には、図５に示したように、表示処理部４０１は、ネットワークを介した送受信についての項目キー「Ｒｅｃｅｉｖｅ」５０１と「Ｓｅｎｄ」５０４を上段に、紙原稿による読み取り又は印刷処理についての項目キー「Ｓｃａｎ」５０２と「Ｐｒｉｎｔ」５０５を中段に、そして記憶部を用いた読み込み又は書き込み処理についての項目キー「Ｌｏａｄ」５０３と「Ｓａｖｅ」５０６」を下段に表示する。これにより、利用者は対応関係を把握することが容易になるため、項目キーを参照した際にどのような機能であるか把握できる。これにより、利便性及び視認性が向上する。
【００７８】
切替部４０２は、表示処理部４０１により表示される入力機能を表示する画面及び出力機能を表示する画面を切り替える処理を行う。この切替部４０２は、利用者がＭＦＰ１で機能を選択を受け付けるために最適な時間間隔で、画面を切り替える。本実施の形態においては、切替部４０２は、３秒毎に画面を切り替える。なお、当然ながら、本実施の形態では画面を切り替えるための所定の時間を３秒に制限するものではない。
【００７９】
選択受付部４０３は、表示処理部４０１により表示された画面から、項目キーで示された領域の選択を受け付ける。具体的には、表示処理部４０１により液晶タッチパネル３２０に表示された項目キーを利用者が押下した場合、選択受付部４０３は、項目キーが選択されたものとして受け付ける。次に、入力機能及び出力機能の選択について説明する。
【００８０】
図６は、本実施の形態における液晶タッチパネル３２０に表示された画面から入力処理に用いる機能を選択するまでの手順を説明した説明図である。本図に示すように、液晶タッチパネル３２０には、入力機能系の表示として項目キー「Ｒｅｃｅｉｖｅ」５０１、「Ｓｃａｎ」５０２及び「Ｌｏａｄ」５０３が表示されている。そして、利用者が「Ｓｃａｎ」５０２を押下した場合、選択受付部４０３が、項目キー「Ｓｃａｎ」５０２を選択されたものとして受け付ける。これにより入力処理部４１１が、紙原稿の読み込み処理を行うものと判断する。
【００８１】
また、項目キーの選択を受け付けた場合、表示処理部４０１は、選択受付部４０３が選択を受け付けた項目キーの色を変更する。図６で示した例では、図６の上段で項目キー「Ｓｃａｎ」５０２の選択を受け付けたことで、表示処理部４０２は、図６の下段で示すように色を変更して項目キー「Ｓｃａｎ」６０１を表示する。これにより、利用者に当該項目キーの選択を受け付けたことを、認識させることができる。そして、入力処理部４１１が、紙原稿を読み込み、画像データとして入力処理を行う。そして、表示処理部４０１は、入力処理した結果の概略を示すプレビューを、利用者が選択した項目キー「Ｓｃａｎ」６０１の内部に表示する。これにより、利用者は、入力処理の結果を認識することができる。
【００８２】
この入力処理された結果の概略を示すプレビューに表示される画像の枚数は、実際に入力処理された画像の枚数と一致させても良いし、枚数を略しても良い。枚数を略すとは、例えば１，２枚であれば枚数を把握できるように表示させるが、３枚以上であれば複数枚あることだけ認識させるように表示することなどが考えられる。なお、後述する出力処理された結果の概略を示すプレビューに表示される画像の枚数も同様に、実際に出力処理される画像の枚数と一致させても良いし、枚数を略しても良い。
【００８３】
図７は、本実施の形態における液晶タッチパネル３２０に表示された画面から出力処理に用いる機能を選択するまでの手順を説明した説明図である。本図に示すように、液晶タッチパネル３２０には、出力機能系の表示として項目キー「Ｓｅｎｄ」５０４、「Ｐｒｉｎｔ」５０５及び「Ｓａｖｅ」５０６が表示されている。そして、利用者が項目キー「Ｐｒｉｎｔ」５０５を押下した場合、選択受付部４０３は、項目キー「Ｐｒｉｎｔ」５０５が、選択されたものとして受け付ける。これにより、出力処理部４１２は、紙原稿としての印刷処理を行うものと判断する。
【００８４】
また、項目キーの選択を受け付けた場合、表示処理部４０１は、選択受付部４０３が受け付けた機能に対応する項目キーの色を変更する。図７で示した例では、図７の上段で項目キー「Ｐｒｉｎｔ」５０５の選択を受け付けたことで、表示処理部４０２は、図７の下段で示すように色を変更して項目キー「Ｐｒｉｎｔ」７０１を表示する。これにより、利用者に当該項目キーの選択を受け付けたことを、認識させることができる。次に、表示処理部４０１は、出力処理部４１２により紙原稿として印刷された場合の画像データの概略を示すプレビューを、利用者が選択した項目キー「Ｐｒｉｎｔ」７０１の内部に表示する。これにより、利用者は、出力処理の結果を認識することができる。つまり、従来から用いられている項目キーの色反転等、またはテキスト説明による機能の説明と比べて、利用者は機能を直感的に理解することができる。
【００８５】
また、この出力処理された結果の概略を示すプレビューに表示される画像の枚数も、上述した入力処理の結果と同様に実際に出力処理される画像の枚数と一致させても良いし、枚数を略しても良い。
【００８６】
図８は、項目キー「Ｓｃａｎ」６０１及び「Ｐｒｉｎｔ」７０１の選択を受け付けた後に液晶タッチパネル３２０に表示される画面の一例を示した図である。本図に示すように、表示処理部４０１は、選択を受け付けた後でも入力機能を表示する画面と出力機能を表示する画面が交互に切り替えられて表示を行う。また、選択を受け付けた項目キーの色が他の項目キーと色が異なっているので、利用者はどの項目キーが選択を受け付けているのか認識できる。さらに、表示処理部４０１が、入力処理及び出力処理の結果の概略を示したプレビューを、選択を受け付けた項目キーの内部に表示するの。このため、利用者がプレビューを参照して、処理した結果に問題ないか否か確認することができる。そして、利用者がプレビューを参照して問題ないと判断した場合、スタートキー３０８を押下することで、後述する実行処理部４０５が印刷する処理を行う。
【００８７】
また、項目キーが押下されて、選択受付部４０３が項目キーの選択を受け付けた後、表示処理部４０１が、選択された項目キーの内部にサブ項目キーを表示して、利用者に対してサブ項目キーの選択を促すこともある。
【００８８】
図９は、項目キー「Ｌｏａｄ」５０３の選択を受け付けた後で、表示処理部４０１が、液晶タッチパネル３２０にサブ項目キーとして「ＭＦＰ」９０２及び「ＰＣ」９０３を表示した画面の一例を示した図である。本図に示すように、項目キー「Ｌｏａｄ」５０３の選択を受け付けた場合、利用者は画像データの読み込み先を指定する必要がある。そこで、表示処理部４０１が、項目キー「Ｌｏａｄ」９０１内に、読み込み先に対応するサブ項目キー「ＭＦＰ」９０２及び「ＰＣ」９０３を表示する。これにより、利用者が読み込み先を選択できる。そして、利用者がサブ項目キー「ＭＦＰ」９０２及び「ＰＣ」９０３の少なくとも１つ以上のサブ項目キーを押下した場合に、選択受付部４０３が、押下されたサブ項目キーの選択を受け付ける。これにより、実行処理部４０５が、選択を受け付けたサブ項目キーに対応する読み込み先を、処理対象と判断する。
【００８９】
このように、表示処理部４０１は、液晶タッチパネル３２０に項目キーを表示し、さらに項目キーの選択を受け付けた後、サブ項目キーを表示する。また、本実施の形態においては、階層構造により項目キー及びサブ項目キーを表示する。階層構造で選択を受け付けていない階層、つまり選択を受け付けていない項目キーの下に存在するサブ項目キーを非表示とする。これにより、本実施の形態の液晶タッチパネル３２０上の画面の表示が煩雑にならず、視認性が向上する。
【００９０】
サブ項目キーの選択を受け付けた場合、図示しないファイル選択画面に移動し、入力処理の対象となる画像データを選択する。このファイルを選択する手順については、どのような手順を用いても良く、例えば、従来から用いられているように液晶タッチパネル３２０にＭＦＰ１又はＰＣが記憶している画像データの一覧を表示し、利用者が表示された画像データの一覧から選択した場合、当該画像データを選択受付部４０３が選択を受け付けることにしてもよい。そして、画像データの選択を受け付けた場合、入力処理部４１１が、選択を受け付けた画像データの入力処理を行う。その後、表示処理部４０１が、項目キーが表示された画面に戻ることになる。なお、この画面では、表示処理部４０１は、選択を受け付けた画像データによるプレビューを、選択を受け付けた項目キー「Ｌｏａｄ」の枠内に表示する。
【００９１】
また、本実施の形態のＭＦＰ１では、入力機能を示す項目キーと出力機能を示す項目キーをそれぞれ複数個選択することができる。このように複数個選択することを可能とすることで、利用者が所望する処理を実行することが可能となり、操作性が向上する。
【００９２】
図１０は、処理に用いられる入力機能の項目キー「Ｓｃａｎ」１００１及び「Ｌｏａｄ」１００２の選択を受け付け、出力機能の項目キー「Ｐｒｉｎｔ」１００３の選択を受け付けた場合に、表示処理部４０１が液晶タッチパネル３２０に表示する画面の一例を示した図である。本図に示すように、表示処理部４０１は、入力機能の項目キーを複数選択を受け付けた場合、選択を受け付けた項目キー毎にプレビューを表示する。
【００９３】
そして、表示処理部４０１は、選択を受け付けた出力機能の項目キーの内部に、選択を受け付けた複数の入力機能で入力処理した複数の画像データを出力処理した結果の概略を示したプレビューを表示する。これにより入力機能を示す項目キーの選択を複数受け付けた場合に、出力処理した結果の概略を示したプレビューを利用者が確認することができる。
【００９４】
また、出力機能の選択を複数個受け付けた場合、入力機能の選択を複数受け付けた場合と同様に、表示処理部４０１は、選択を受け付けた複数の項目キーの色を変更すると共に各項目キーの内部にプレビューを表示する。
【００９５】
また、本実施の形態のＭＦＰ１の選択受付部４０３は、利用者から１つの項目キーが保持するサブ項目キーの選択を受け付けることができる。つまり、実行処理部４０５は、サブ項目キーに対応する複数の入力処理元又は複数の出力処理先に対して処理を行うことができる。
【００９６】
図１１は、入力機能の項目キー「Ｒｅｃｅｉｖｅ」の選択を受け付けた後、さらに受信元として「ＦＡＸ」及び「Ｍａｉｌ」の選択を受け付けた場合に、表示処理部４０１が液晶タッチパネル３２０に表示する画面例を示した図である。本図で示した画面は、まず利用者が項目キー「Ｒｅｃｅｉｖｅ」５０１を押下して、選択受付部４０３が「Ｒｅｃｅｉｖｅ」５０１の選択を受け付ける。その後で、利用者がサブ項目キー「ＦＡＸ」を押下して、選択受付部４０３が「ＦＡＸ」の選択を受け付ける。さらに、利用者の押下により、選択受付部４０３が、項目キー「Ｒｅｃｅｉｖｅ」５０１の選択を受け付けた後に、サブ項目キー「Ｍａｉｌ」の選択を受け付ける。これにより図１１で示した画面が表示処理部４０１により表示される。本図に示すように、表示処理部４０１は、項目キー「Ｒｅｃｅｉｖｅ」１１０１内に「ＦＡＸ」及び「Ｍａｉｌ」の入力処理した結果の概略を示したプレビューを表示する。
【００９７】
そして、選択受付部４０３が、出力機能を示す項目キー「Ｓａｖｅ」５０６の選択を受け付けた後、さらに「ＦＡＸ」及び「Ｍａｉｌ」の選択を受け付けることで、表示処理部４０１が、入力処理した画像データを用いて出力処理した結果の概略を示したプレビューを項目キー「Ｓａｖｅ」１１０２内に表示する。このように、選択受付部４０３が、１つの機能から複数の入力処理対象を示すサブ項目キーの選択を受け付けた場合、入力処理部４１１が、同一の入力機能により複数の画像データの入力処理ができる。さらに、出力処理部４１２は、入力処理された複数の画像データを用いて、選択を受け付けた項目キーに対応する出力機能を用いて１つ又は複数の画像データを出力処理することができる。
【００９８】
図１２は、入力機能の項目キー「Ｓｃａｎ」５０２の選択を受け付け、出力機能を示す項目キー「Ｓａｖｅ」５０６の選択を受け付けた後、書込先としてサブ項目キー「ＰＣ」及び「ＭＦＰ」の選択を受け付けた場合に、表示処理部４０１が液晶タッチパネル３２０に表示する画面例を示した図である。本図に示すように、表示処理部４０１は、項目キー「Ｓｃａｎ」１２０１内に入力処理した画像データの概略を示したプレビューを表示する。さらに表示処理部４０１は、当該入力処理された画像データを用いて、選択を受け付けたサブ項目キー「ＰＣ」及び「ＭＦＰ」に対応する出力先に出力処理した結果の概略を示したプレビューを項目キー「Ｓａｖｅ」１２０２内に表示する。
【００９９】
図１２で示したような選択を受け付けた後でスタートボタン３０８を押下した場合、出力処理部４１２が、紙原稿から入力処理された画像データを、「Ｓａｖｅ」１２０２に対応する書き込み機能を用いてＰＣ及びＭＦＰ１に保存する。このように入力処理された１つの画像データを、複数の出力処理先に出力処理することができる。
【０１００】
表示処理部４０１が表示する画面で、項目キーなどの選択を受け付ける際の操作性が向上した。これにより、図１１及び図１２と対応付けて説明した処理において、項目キーに対応する機能を用いた処理の実行を容易にした。
【０１０１】
図４に戻り、実行処理部４０５は、入力処理部４１１及び出力処理部４１２を備え、ＭＦＰ１が有する機能を用いた入、出力処理する。そして、実行処理部４０５で処理した内容に基づいて、サービス層４５２に備えられた各制御部が、ハードウェアリソースを制御することで、ハードウェアを用いた処理が行われる。
【０１０２】
入力処理部４１１は、選択受付部４０３により選択を受け付けた項目キーに対応する入力機能を用いた画像データを入力処理する。つまり、選択受付部４０３が、項目キー「Ｓｃａｎ」５０２の選択を受け付けた場合、入力処理部４１１がスキャナ制御部４２１より図示しないスキャナを制御することで、紙原稿の読み込み処理を行う。また、選択受付部４０３が項目キー「Ｒｅｃｅｉｖｅ」５０１の選択を受け付けた場合、入力処理部４１１が通信制御部４２６より図示しないネットワーク通信機能を制御することで、画像データの受信処理を行う。また、選択受付部４０３が項目キー「Ｌｏａｄ」５０３の選択を受け付けた場合、入力処理部４１１が蓄積制御部４２３よりＭＦＰ１に備えられた記憶部４０４を制御すること又は通信制御部４２６よりネットワークを介して接続されたＰＣに備えられたＨＤＤ(Hard Disk Drive)を制御することで、画像データの読み込み処理を行う。
【０１０３】
出力処理部４１２は、選択受付部４０３により選択を受け付けた項目キーに対応する出力機能を用いた画像データを出力処理する。つまり、選択受付部４０３が、項目キー「Ｐｒｉｎｔ」５０５の選択を受け付けた場合、出力処理部４１２がプロッタ制御部４２２により図示しないプロッタを制御することで、紙原稿として印刷処理を制御する。また、選択受付部４０３が項目キー「Ｓｅｎｄ」５０４の選択を受け付けた場合、出力処理部４１２が通信制御４２６によりネットワーク通信機能を制御することで、画像データの送信処理を行う。また、選択受付部４０３が項目キー「Ｓａｖｅ」５０６の選択を受け付けた場合、出力処理部４１２が蓄積制御部４２３よりＭＦＰ１に備えられた記憶部４０４を制御すること又は蓄積制御部４２６よりネットワークを介して接続されたＰＣ等に備えられたＨＤＤを制御することで、画像データの書き込み処理を行う。
【０１０４】
次に、以上のように構成された本実施の形態にかかるＭＦＰ１における入力機能系画面の表示処理から利用者による選択を受け付けて出力処理するまでの処理について説明する。図１３は、本実施の形態にかかるＭＦＰ１における上述した処理の手順を示すフローチャートである。
【０１０５】
まず、表示処理部４０１は、入力機能系の画面の表示する（ステップＳ１３０１）。次に、選択受付部４０３は、利用者から入力機能を示す項目キーの選択を受け付ける（ステップＳ１３０２）。
【０１０６】
選択受付部４０３は、入力機能を示す項目キーの選択の受け付けたか否か判断する（ステップＳ１３０３）。選択の受け付けたと判断した場合（ステップＳ１３０３：Ｙｅｓ）、入力処理部４１１は選択を受け付けた項目キーに対応する入力機能による入力処理を行う（ステップＳ１３０４）。そして、入力処理が行われた後に、表示処理部４０１は、入力処理の結果の概略を示したプレビューを、液晶タッチパネル３２０に表示する（ステップＳ１３０５）。
【０１０７】
また、選択受付部４０３が選択を受け付けなかったと判断した場合（ステップＳ１３０３：Ｎｏ）、特に処理は行わない。
【０１０８】
次に、切替部４０２は、入力機能系の画面に切り替えられてから３秒経過したか否か判断する（ステップＳ１３０６）。
【０１０９】
そして、切替部４０２が切り替えてから３秒経過していないと判断した場合（ステップＳ１３０６：Ｎｏ）、切替部４０２は画面の切り替えを行わずに、このまま表示処理部４０１は、入力機能系の画面の表示処理を行う（ステップＳ１３０１）。
【０１１０】
また、切替部４０２が切り替えてから３秒経過したと判断した場合（ステップＳ１３０６：Ｙｅｓ）、切替部４０２は、出力機能系画面への切り替えを行うように表示処理部４０１を制御する（ステップＳ１３０７）。
【０１１１】
次に、表示処理部４０１は、出力機能系の画面の表示処理を行う（ステップＳ１３０８）。
【０１１２】
そして、選択受付部４０３は、利用者から出力機能を示す項目キーの選択を受け付ける（ステップＳ１３０９）。次に選択受付部４０３は、利用者から出力機能を示す項目キーの選択の受け付けたか否か判断する（ステップＳ１３１０）。選択を受け付けたと判断した場合（ステップＳ１３１０：Ｙｅｓ）、表示処理部４０１は、入力処理した画像データを用いて出力処理した場合を示したプレビューを、液晶タッチパネル３２０に表示する（ステップＳ１３１１）。
【０１１３】
選択受付部４０３が選択の受け付けなかったと判断した場合（ステップＳ１３１０：Ｎｏ）、特に処理は行わない。
【０１１４】
次に、選択受付部４０３は、利用者による選択の受け付けが終了したか否か判断する（ステップＳ１３１２）。具体的には、利用者がスタートキー３０８を押下したか否かにより、選択受付部４０３は、利用者が選択の受け付けを終了したか否か判断する。但し、選択受付部４０３は、ステップＳ１３０３で入力機能を示す項目キーの選択があり且つステップＳ１３１０で出力機能を示す項目キーの選択があった場合にのみ、選択の受け付けが終了したか否か判断することとし、これらの条件が満たされていない場合、その旨の警告を、液晶タッチパネル３２０に表示する。
【０１１５】
そして、選択受付部４０３が選択の受け付けが終了していないと判断した場合（ステップＳ１３１２：Ｎｏ）、特別な処理を行わず、さらに、切替部４０２が、出力機能系の画面が表示されてから３秒経過したか否か判断する（ステップＳ１３１３）。
【０１１６】
そして、切替部４０２が出力機能系の画面が表示されてから３秒経過していないと判断した場合（ステップＳ１３１３：Ｎｏ）、切替部４０２は画面の切り替えを行わずに、このまま表示処理部４０１が、出力機能系の画面の表示処理を行う（ステップＳ１３０８）。
【０１１７】
また、切替部４０２が切り替えてから３秒経過したと判断した場合（ステップＳ１３１３：Ｙｅｓ）、切替部４０２は、入力機能系の画面への切り替えを行うように表示処理部４０１を制御する（ステップＳ１３１４）。
【０１１８】
また、選択受付部４０３が選択の受け付けを終了したと判断した場合（ステップＳ１３１２：Ｙｅｓ）、出力処理部４１２は、すでにステップＳ１３０４で入力処理された画像データに対して、ステップＳ１３１０で選択を受け付けた項目キーに対応する出力機能による出力処理を行う（ステップＳ１３１５）。
【０１１９】
上述した処理手順により、利用者が入力処理及び出力処理に用いられる機能の選択を容易にすると共に、要求された機能を用いた画像データの処理が可能となる。なお、上述した処理手順は、本実施の形態による入力機能系画面の表示処理から利用者による選択を受け付けて出力処理するまでの処理までの処理手順の例を示したものであり、本発明をこの処理手順に制限するものではない。
【０１２０】
また、本実施の形態においては、表示処理部４０１は液晶タッチパネル３２０に、矩形の項目キーを縦に配列したが、このような配置に制限するものではない。下記に示すように様々な配置が考えられる。なお、下記に示す以外にも入力機能を示す項目キーと出力機能を示す項目キーが切り替え可能であればどのような配置でも良い。
【０１２１】
図１４は、液晶タッチパネル３２０に表示する項目キーを横に配列した場合の例を示した図である。本図に示した項目キーの配置以外は本実施の形態と同様の処理を行うこととする。後述する図１５、図１６及び図１７についても同様とする。
【０１２２】
図１５は、項目キーを斜に配列した場合の例を示した図である。また、図１６は、項目キーを入れ子構造により配置した場合の例を示した図である。また、図１７は、項目キーを放射状に配置した場合の例を示した図である。このように項目キーの配置については様々なバリエーションが考えられる。
【０１２３】
また、項目キーの形状を矩形に制限するものではなく、例えば、円形で形成するなど、どのような形状でも良い。
【０１２４】
さらに、表示処理部４０１は液晶タッチパネル３２０に項目キーとして矩形等の領域を明示的に表示することに制限するものではなく、例えば項目毎の領域を表示せずに、機能を示した文字列のみ表示してもよい。この場合、機能が示された文字列が押下された場合、選択受付部４０３は当該文字列を囲んだ領域の選択を受け付け、表示処理部４０１が、選択を受け付けた文字列の文字色などを変更して表示することが考えられる。
【０１２５】
また、本実施の形態は、表示される入力機能系の画面及び出力機能系の画面で配置された項目キーの配色を制限するものではなく、あらゆる配色で項目キーを表示しても良い。本実施の形態においては、入力機能系の画面及び出力機能系の画面の違いに応じて表示される項目キーの配色を異ならせることとした。具体的な例として、表示処理部４０１は、選択を受け付けた入力機能の項目キーの色を青色に変更し、選択を受け付けた出力機能の項目キーの色を赤色に変更して表示する。これにより、利用者は、選択を受け付けた機能が、入力機能であるか出力機能であるかが視覚的に容易に認識できる。また、本実施の形態と異なる配色の例としては、入力機能系の画面及び出力機能系の画面にかからわず表示される項目キーを全て同じ配色にするとか、項目キー毎に全て異なる配色とすること等が考えられる。
【０１２６】
また、本実施の形態の表示処理部４０１は、入力機能系の画面に表示される項目キー及び出力機能系の画面に表示される項目キーの形状を同じ矩形としたが、画面の違いにより異ならせても良い。詳細な例としては、入力機能系の画面に表示される項目キーの形状を楕円形状とし、出力機能系の画面に表示される項目キーの形状を矩形するなど、あらゆる形状で表示することが考えられる。
【０１２７】
また、本実施の形態では、表示処理部４０１が表示する項目キー内に配置される入力機能標記及び出力機能標記を、文字列で表示した。
【０１２８】
しかしながら、本実施の形態の入力機能標記及び出力機能標記は、文字列に制限するものではなく、入力機能及び出力機能と認識可能な標記であれば、どのような標記を用いて良い。例えば、入力機能及び出力機能を示したアイコン又はマークなどの図形でも良いし、記号等を入力機能及び出力機能を示す標記として用いても良い。
【０１２９】
また、本実施の形態は、入力機能を示した項目キー及び出力機能を示した項目キーの選択の受け付け順序について特に制限するものではない。また、本実施の形態では、入力機能を示した項目キー及び出力機能を示した項目キーについて、どちらから最初に選択を受け付けても良く、実際に出力処理を行う前に入力機能を示した項目キー及び出力機能を示した項目キーの選択を受け付けていればよい。
【０１３０】
なお、出力機能を示した項目キーの選択を受け付けた後に入力機能を示した項目キーの選択の受け付けを可能とした場合、表示処理部４０１は、出力機能が選択を受け付けた段階ではプレビューを表示せず、後に入力機能が選択を受け付けた後、入力処理部４１１が入力処理した画像データを用いて、選択を受け付けた項目キー毎にプレビューを表示する。
【０１３１】
なお、本実施の形態と異なる例としては、選択受付部は、入力機能を示した項目キーの選択の受け付けより先に出力機能を示した項目キーの選択を受ける制御を行わないことが考えられる。この場合、選択受付部は、入力機能を示した項目キーの選択を受け付けた後に限り、出力機能を示した項目キーの選択を受け付ける制御を行うこと等が考えられる。
【０１３２】
本実施の形態においては、ＭＦＰ１は、入力機能を示す項目キーと、出力機能を示す項目キーを所定の時間毎に切り替えて表示することで、解像度及び表示する画面のサイズが制限されている液晶タッチパネル３２０でも、全ての機能毎の項目キーを表示できる。また、時間毎に切り替えて、表示させる項目キーを切り替えるので、利用者が特段の操作を行わずとも、入力機能及び出力機能を示した項目キーを利用者に把握させることができる。これにより、処理を行う際に利用者の要求に応じた入力機能及び出力機能の設定が可能となる。また、３秒毎に切り替えることにしたため、利用者が表示される機能を切り替えるための処理を行わなくても良いので操作性が向上する。さらに、表示された際に入力機能及び出力機能の選択を受け付けることができるので操作性が向上する。
【０１３３】
（第１の実施の形態の変形例１）
上述した第１の実施の形態においては、選択受付部４０３が、項目キーの選択を受け付けた場合に限り、表示処理部４０１がサブ項目キーを表示するという、いわば階層構造で表示したが、このような表示に制限するものではない。そこで、本変形例では、予め項目キー及びサブ項目キーが表示されている場合を示した変形例について説明するものである。
【０１３４】
図１８は、表示処理部により液晶タッチパネル３２０に表示される画面の一例を示した図である。本図に示すように、本変形例の表示処理部は、予め全ての項目キー及びサブ項目キーを表示、つまり複数機能及び、機能毎の入力処理元及び出力処理先を一覧表示している。
【０１３５】
また、本変形例では、選択を受け付けた項目キー及びサブ項目キーの色を変更するのみで、プレビューの表示は行わない。本変形例のように表示処理部は、プレビューを表示せずに、選択を受け付けた機能の表示のみ行うことにしても良い。
【０１３６】
また、複数の機能及び機能毎の入力処理元及び出力処理先を一覧表示し、選択受付部４０３が入力処理元及び出力処理先の選択を受け付けた場合に、表示処理部４０１が選択を受け付けた入力処理元及び出力処理先に対応するプレビューを表示しても良い。また、他の例としては、予めサブ項目キーの表示は抑えておくが、項目キーを押下した後にサブ項目キーの選択を受け付けた場合に限り、選択を受け付けた項目キーの色を変えて表示しても良い。このようにさまざまな構成と組み合わせて表示することができる。
【０１３７】
また、利用者の音声を用いて操作を行っても良い。例えば、切り替えられて表示された入力機能又は出力機能に対応した所定のキーワードを予め設定しておき、利用者がキーワードを言った場合に、選択受付部４０３が、入出力機能の選択の受け付け又は選択の解除が行われる等が考えられる。
【０１３８】
（第２の実施の形態）
第１の実施の形態では、表示処理部４０１が、液晶タッチパネル３２０上に機能を示す項目キーを２次元的に配列して表示した。しかしながら、本発明は、２次元的に配列して表示するものに制限するものではない。例えば、機能毎の領域を切り替えて表示する場合、仮想３次元形状モデル上に機能毎の領域を表し、当該仮想３次元形状モデルを回転等させて、切り替えることも考えられる。そこで、本実施の形態では、仮想立方体を液晶タッチパネル３２０に表示した実施の形態を説明する。
【０１３９】
図１９は、第２の実施の形態にかかるＭＦＰ１９００の機能ブロック図である。本図に示すように、上述した第１の実施の形態に係るＭＦＰ１とは、アプリケーション層４５１とは処理が異なるアプリケーション層１９５１に変更されている点で異なる。以下の説明では、上述した第１の実施の形態と同様の構成要件には同一の符号を付してその説明を省略している。
【０１４０】
なお、本実施の形態にかかるＭＦＰ１９００は、図１で示した第１の実施の形態にかかるＭＦＰ１と同様のネットワーク環境を備え、図３で示すような操作パネル３００を備えているものとする。
【０１４１】
アプリケーション層１９５１は、第１の実施の形態にかかるアプリケーション層４５１と、表示処理部４０１とは処理が異なる表示処理部１９０１に変更され、切替部４０２とは処理が異なる切替部１９０２に変更された構成を有している点で異なる。
【０１４２】
表示処理部１９０１は、液晶タッチパネル３２０に、予め保持している仮想立方体を表示する。また、表示処理部１９０１は、入力機能を示す文字列である入力機能標記と、出力機能を示す文字列である出力機能標記とを仮想立方体の外面の所定の領域毎に配置する。本実施の形態においては、所定の領域を仮想立方体の各面とし、面毎に入力機能標記又は、出力機能標記が表される。
【０１４３】
また、表示処理部１９０１は、仮想立方体の対向する２つの面、つまり仮想立方体の表裏となる各面に、所定の関係にある入力機能標記と出力機能標記を配置する。つまり、本実施の形態において、入力機能標記が表された面は、換言すれば入力指示領域となり、又出力機能標記が表された面は、、換言すれば出力指示領域となる。これにより、所定の関係にある入力指示領域と出力指示領域が対向して配置されたことになる。
【０１４４】
また、本実施の形態では、表示処理部１９０１内部で予め生成しておいた仮想立方体を保持し、液晶タッチパネル３２０上に当該仮想立方体を表示する。しかしながら、表示対象となる仮想立方体を、予め生成して保持しておくことに制限するものではなく、液晶タッチパネル３２０上に表示が必要になる度に仮想立方体を生成しても良い。また、仮想立方体は、液晶タッチパネル３２０に表示された場合に、利用者が立方体と認識できる図形であれば、ＭＦＰ１９００の内部でどのような形式で保持していても良い。つまり、ＭＦＰ１９００の内部で、仮想立方体を仮想立方体として処理しているか否かは問わない。
【０１４５】
図２０は、表示処理部１９０１により液晶タッチパネル３２０に表示される画面の一例を示した図である。本図に示すように液晶タッチパネル３２０には機能選択画面として仮想立方体が表示される。そして、後述する切替部１９０２により仮想立方体の回転制御が行われた後に、表示処理部１９０１は、入力機能標記が表された複数の面又は出力機能標記が表された複数の面を表示する。そして、利用者が入力機能標記が示された面又は出力機能が示された面を押下することで、選択受付部４０３が、入力機能標記が表された面又は出力機能標記が表された面の選択を受け付ける。
【０１４６】
なお、機能の選択の受け付けは第１の実施の形態と同様であるため省略する。なお、本実施の形態においては入力機能標記又は出力機能標記を文字列で表示したが、マークなどの図形又は記号等により機能を表示しても良い。
【０１４７】
切替部１９０２は、表示処理部１９０１が表示処理した仮想立方体の表示を切り替える制御を行う。本実施の形態においては、切替部１９０２は、表示処理部１９０１に対して仮想立方体を回転させる旨の指示を行うことで、表示の切り替えを制御する。
【０１４８】
また、本実施の形態において、切替部１９０２は、利用者がＭＦＰ１に機能を設定するために最適な時間間隔毎に、仮想立方体を回転させる指示を行う。本実施の形態において切替部１９０２は、最適な時間間隔として３秒毎に仮想立方体を回転させる指示を行う。なお、当然ながら、本実施の形態は仮想立方体を回転させる所定の時間を３秒に制限するものではない。
【０１４９】
また、本実施の形態は、切替部１９０２が行う仮想立方体を回転させる指示を、所定の時間毎に行うことに制限するものではない。本実施の形態とは異なるが、選択受付部が、利用者から仮想立方体を回転させる旨の入力を受け付けた場合に、切替部が回転させる指示を行う等をしてもよい。このように、切替部は、どのような条件に基づいて表示処理部に対して回転させる指示を行ってもよい。
【０１５０】
図２１は、切替部１９０２による制御により表示処理部１９０１が仮想立方体を回転させた場合の例を示した説明図である。本図に示すように、切替部１９０２が、仮想立方体を回転制御して、入力機能標記が表された複数の面と、出力機能標記が表された複数の面を切り替える。具体的には、表示処理部１９０１及び切替部１９０２は、仮想立方体の入力機能標記が表された複数の面及び出力機能標記が表された複数の面のいずれか一方を、液晶タッチパネル３２０上で表示した状態で仮想立方体を静止させ、静止して３秒経過した後に半回転させて、半回転した後に入力機能標記が表された複数の面及び出力機能標記が表された複数の面のうち先ほど表示したのとは別の一方を、液晶タッチパネル３２０上に表示した状態で静止させるという処理を繰り返し行う。
【０１５１】
また、液晶タッチパネル３２０に、入力機能標記を示す複数の面が表示されている場合、表示処理部１９０１は、「Ｒｅｃｅｉｖｅ」と表された面２１０１と、「Ｓｃａｎ」と表された面２１０２と、「Ｌｏａｄ」と表された面２１０３を表示する。また、液晶タッチパネル３２０に、出力機能標記を示す複数の面が表示されている場合、表示処理部１９０１は、「Ｓｅｎｄ」２１０４と、「Ｐｒｉｎｔ」２１０５と、「Ｓａｖｅ」２１０６が表示される。これらの機能は第１の実施の形態と同様であるため説明を省略する。
【０１５２】
また、表示処理部１９０１は、液晶タッチパネル３２０上で仮想立方体を、図２１で示した回転軸を中心に回転させる。液晶タッチパネル３２０上で仮想立方体は当該回転軸による回転と静止とが繰り返され、静止した状態では、表示処理部１９０１は、当該回転軸により、入力機能標記が表された複数の面又は出力機能標記が表された複数の面の面積がほぼ等しくなるように表示する。また、この回転軸は、仮想立方体の角部の頂点を貫かず、仮想立方体の面を貫くことになる。表示処理部１９０１がこのように表示することで、選択を受け付ける各面の面積が等しくなるので、利用者が各面を押下することが容易となる。
【０１５３】
なお、本実施の形態は、回転軸の配置を上記のような配置に制限するものではなく、回転軸について仮想立方体を回転させるための基準としてあらゆる配置が考えられる。
【０１５４】
また、図２１に示すように、表示処理部１９０１は、仮想立方体の対向する面のそれぞれに所定の関係にある入力機能標記が表された面と出力機能標記が表された面を表示する。所定の関係とは第１の実施の形態で説明したものと同様とする。例えば、表示処理部１９０１は、仮想立方体の対向する位置に、紙原稿を読み込み処理する入力機能標記「Ｓｃａｎ」と表された面２１０２と、紙原稿を印刷処理する出力機能標記「Ｐｒｉｎｔ」と表された面２１０５を、配置する。このように所定の関係にある入出力機能を対向する面に表すことで、利用者に機能を直感的に把握させることができる。具体的な例としては、図２１で示した仮想立方体を参照することで、利用者は、入力機能標記「Ｓｃａｎ」で示された入力機能と、紙原稿としての出力機能標記「Ｐｒｉｎｔ」で示された出力機能を組み合わせたものが、紙媒体の入出力機能の組合せであるコピー機能を実現することを把握できる。このように配置することで、利用者は各機能の関係を把握することが容易になるため、視認性及び利用者の機能の予測性が向上する。
【０１５５】
また、所定の関係を有する他の入力機能及び出力機能についても同様とし、表示処理部１９０１は、仮想立方体の対向する位置に、ネットワークから受信する入力機能標記「Ｒｅｓｅｉｖｅ」と表された面２１０１と、ネットワークに送信する出力機能標記「Ｓｅｎｄ」と表された面２１０４を、配置する。また、表示処理部１９０１は、仮想立方体の対向する位置に、記憶部４０４から画像データを読み出す入力機能標記「Ｌｏａｄ」と表された面２１０３と、記憶部４０４に画像データを書き込む出力機能標記「Ｓａｖｅ」と表された面２１０６を、配置する。
【０１５６】
次に、実際に利用者が、液晶タッチパネル３２０を押下した場合に表示される画面の変移について説明する。図２２は、本実施の形態にかかる液晶タッチパネル３２０に入力機能標記が表された面の選択を受け付けていない仮想立方体の表示から、入力機能標記が表された面の選択を受け付けた仮想立方体の表示までの手順を示した説明図である。本図に示すように、液晶タッチパネル３２０が入力機能系の表示を行う際、仮想立方体に入力機能標記「Ｒｅｃｅｉｖｅ」と表された面２１０１、「Ｓｃａｎ」と表された面２１０２及び「Ｌｏａｄ」と表された面２１０３を表示する。
【０１５７】
そして、利用者が、「Ｓｃａｎ」と表された面２１０２を押下した場合、表示処理部１９０１が、押下された面を拡大させ、拡大された面に入力対象の選択する画面の表示を行う。この入力対象の選択する画面については後述する。そして、利用者が、この入力対象を選択する画面から入力対象として紙を選択した場合、選択受付部４０３は、「Ｓｃａｎ」と表された面２１０２の選択を受け付け、入力対象として紙の選択を受け付ける。
【０１５８】
次に、選択受付部４０３が「Ｓｃａｎ」と表された面２１０２の選択を受け付け、入力対象として紙の選択を受け付けた場合、入力処理部４１１は、入力機能として読み込み、そして読み込み対象として紙原稿の選択を受け付けたと判断し、紙原稿を読み込んで、画像データとして入力処理を行う。そして、表示処理部１９０１は、当該拡大された画面に、選択した入力対象を入力処理した結果の概略をプレビューとして表示する。この画面は、図２２の中段に示した画面とする。これにより、利用者は、入力処理の結果を容易に認識することができる。
【０１５９】
そして、利用者は、プレビュー画面を参照して入力処理に問題ないと判断した場合は「ＯＫ」ボタン２２０１を押下し、自分の想定したものとは異なる画像データが表示された場合は「ＣＡＮＣＥＬ」ボタン２２０２を押下する。「ＣＡＮＣＥＬ」ボタン２２０２が押下された場合、表示処理部１９０１はプレビュー画面から、再び図２２の一番上に示された画面を表示する。
【０１６０】
「ＯＫ」ボタン２２０１が押下された場合、入力機能標記「Ｓｃａｎ」と表された面２１０２が選択を受け付けたものと取り扱われ、表示処理部１９０１は、図２２の一番下に示された画面を表示する。表示処理部１９０１は、色が変更され、入力処理された結果の画像データの概略を面内に示した「Ｓｃａｎ」と表された面２２０３を表示する。なお、概略とは、液晶タッチパネル３２０上に表示可能に変更したものを示し、本実施の形態では具体的に表示可能なサイズに縮小及び簡略化することをいう。これにより、選択を受け付けた機能により行われる入力処理を利用者に理解させることが容易となると共に、入力処理した後にこれから出力対象となる画像データを把握することが容易となる。また、「Ｒｅｃｅｉｖｅ」と表された面２１０１又は「Ｌｏａｄ」と表された面２１０３の選択を受け付けた場合も同様の処理手順により入力処理を行うこととする。
【０１６１】
図２３は、本実施の形態にかかる液晶タッチパネル３２０に出力機能標記が表された面の選択を受け付けていない仮想立方体の表示から、出力機能標記が表された面の選択を受け付けた仮想立方体の表示までの手順を示した説明図である。本図に示すように、液晶タッチパネル３２０が出力機能系の表示を行う際、仮想立方体に出力機能標記「Ｓｅｎｄ」と表された面２１０４、「Ｐｒｉｎｔ」と表された面２１０５及び「Ｓａｖｅ」と表された面２１０６を表示する。
【０１６２】
そして、利用者が、「Ｐｒｉｎｔ」と表された面２１０５を押下した場合、選択受付部４０３が、「Ｐｒｉｎｔ」と表された面２１０５の選択を受け付ける。そして、表示処理部１９０１が、押下された面を拡大させ、拡大された面に出力先の選択を受け付ける表示を行う。この出力先の選択を受け付ける表示については後述し図示しない。そして、利用者が、この出力先を選択する画面から出力先として紙の選択を受け付けた場合、選択受付部４０３は、「Ｐｒｉｎｔ」と表された面２１０５の選択を受け付け、出力先として紙の選択を受け付けたこととなる。
【０１６３】
次に、選択受付部４０３が「Ｓｃａｎ」と表された面２１０２の選択を受け付け、入力対象として紙の選択を受け付けた場合、入力処理部４１１は、入力機能として読み込み、そして読み込み対象として紙原稿の選択を受け付けたと判断し、紙原稿を読み込んで、画像データとして入力処理を行う。そして、表示処理部１９０１は、当該拡大された画面に、選択した入力対象を入力処理した結果の概略をプレビューとして表示する。この画面は、図２２の中段に示した画面とする。これにより、利用者は、入力処理の結果を容易に認識することができる。
【０１６４】
次に、この拡大された画面から利用者が出力先の選択を受け付けた場合、表示処理部１９０１は、当該拡大された画面に、選択を受け付けた出力先に出力処理した結果の概略を示したプレビューを表示する。この画面は、図２３の中段に示した画面とする。なお、この画面では、出力処理する際に設定可能な項目毎にブロックを示し、ブロック毎に詳細な設定を可能とするが、設定手順の詳細については後述する。
【０１６５】
そして、利用者は、プレビュー画面を確認して、問題ないと判断した場合は「ＯＫ」ボタン２３０１を押下し、自分の想定したものとは異なる画像データが表示された場合は「ＣＡＮＣＥＬ」ボタン２３０２を押下する。「ＣＡＮＣＥＬ」ボタン２３０２が押下された場合、表示処理部１９０１はプレビュー画面から、再び図２３の一番上に示された画面を表示する。
【０１６６】
「ＯＫ」ボタン２３０１が押下された場合、出力機能標記「Ｐｒｉｎｔ」と表された面２１０５が選択され且つ印刷するための設定が終了したものと取り扱われ、表示処理部１９０１は、図２３の一番下に示された画面を表示する。表示処理部１９０１は、選択を受け付けた「Ｐｒｉｎｔ」と表された面２３０３の色を変更し、当該面内に出力処理した結果の概略を示したプレビューを表示する。このような表示を行うことで、選択を受け付けた面に対応する機能を用いて行われる処理を明確に示すと共に、利用者が出力結果を直感的に把握することができる。つまり、従来良く用いられていた項目キーの色反転等、またはテキスト説明による機能の説明と比べて、機能を直感的に理解できる。また、他の出力機能が示された面、つまり「Ｓｅｎｄ」と表された面２１０４又は「Ｓａｖｅ」と表された面２１０６を選択受付部４０３が選択を受け付けた場合も、同様の処理手順により出力処理を行う。
【０１６７】
図２４は、液晶タッチパネル３２０に表示された仮想立方体から、「Ｓｃａｎ」と表された面２２０３及び「Ｐｒｉｎｔ」と表された面２１０５の選択を選択受付部４０３が受け付けた後、表示処理部１９０１が表示した仮想立方体の例を示した説明図である。本図に示すように、表示処理部１９０１は、回転する仮想立方体で、選択を受け付けた「Ｓｃａｎ」と表された面２２０３及び「Ｐｒｉｎｔ」と表された面２３０３の色を変更すると共に、処理結果の概略を示したプレビューを表示する。これにより、利用者は選択を受け付けた機能の認識と入力処理及び出力処理の結果を直感的に理解できる。
【０１６８】
また、選択受付部４０３が既に入力機能標記が表された面の選択を受け付けている場合でも、さらに他の入力機能標記が表された面の選択を受け付けることができる。同様に、選択受付部４０３が、既に出力機能標記が表された面の選択を受け付けている場合でも、さらに他の出力機能標記が表された面の選択を受け付けることができる。つまり、ＭＦＰ１９００は、処理毎に入力機能標記が表された面、及び出力機能標記が表された面のいずれか１つ以上について複数選択を受け付けることができる。このように入力機能標記が表された面及び出力機能標記が表された面のいずれか１つ以上を複数個選択を受け付けることで、面に対応する複数の入力機能及び出力機能を用いて処理が実行されることになる。これにより、利用者の要求に応じて詳細に設定された機能で処理を行うことが可能となり、利便性及び操作性が向上する。
【０１６９】
図２５は、液晶タッチパネル３２０に表示された仮想立方体から、選択受付部４０３が入力機能標記「Ｓｃａｎ」と表された面２５０１及び「Ｌｏａｄ」と表された面２５０２の選択を受け付け、出力機能標記「Ｐｒｉｎｔ」と表された面２５０３の選択を受け付けた後に、表示処理部１９０１が表示処理した仮想立方体の一例を示した図である。本図に示すように、選択受付部４０３が、機能標記が表された面の複数選択を受け付けた場合、表示処理部１９０１は選択を受け付けた面毎にプレビューを表示する。
【０１７０】
そして、選択受付部４０３が入力機能標記と表された面の複数選択を受け付けた場合、出力処理部４１２は、選択を受け付けた面に対応する各入力機能の入力処理より生成された複数の画像データを用いて、選択を受け付けた面に対応する出力機能を用いて出力処理を行う。また、表示処理部１９０１は、選択を受け付けた出力機能標記が表された面内に、入力処理で生成された複数の画像データを用いて、選択を受け付けた面に対応する出力機能で出力処理した結果の概略を示すプレビューを表示する。これにより、入力機能標記を複数選択した場合に出力処理される結果を、利用者が直感的に把握することができる。
【０１７１】
また、選択受付部４０３が、出力機能標記が表された面の複数個選択を受け付けた場合、入力機能標記が複数選択を受け付けた場合と同様に、表示処理部１９０１は、選択を受け付けた機能標記が配置された面の色を変更すると共に各面に出力処理の結果を示すプレビューを表示する。
【０１７２】
また、本実施の形態のＭＦＰ１９００において、利用者は、さらに１つの入力機能から複数の入力対象を、又は１つの出力機能から複数の出力先を選択することができる。
【０１７３】
図２６は、選択受付部４０３が、入力機能標記「Ｌｏａｄ」と表された面２６０１の選択を受け付け、入力対象つまり受信元として「ＰＣ」及び「ＭＦＰ」の選択を受け付け、さらに出力機能標記「Ｐｒｉｎｔ」と表された面２６０２の選択を受け付けた後に、表示処理部１９０１が表示した仮想立方体の一例を示した図である。本図で示した画面を表示するための手順を説明する。まず利用者が、「Ｌｏａｄ」と表された面２６０１を押下した後に入力対象として「ＰＣ」を押下することで、入力処理部４１１がＰＣに記憶されている画像データの入力処理を行う。さらに、利用者が再度、「Ｌｏａｄ」を表された面２６０１を押下した後に入力対象として「ＭＦＰ」を押下した場合に、入力処理部４１１がＭＦＰ１９００に記憶されている画像データの入力処理を行う。これにより、表示処理部１９０１は、「Ｌｏａｄ」と表された面２６０１に、選択を受け付けた入力対象であるＰＣ及びＭＦＰ１９００毎に、入力処理した結果の概略のプレビューを表示する。
【０１７４】
その後、出力機能標記「Ｐｒｉｎｔ」と表された面２６０３の選択を受け付けた場合、詳細な設定等を行い、上述した入力処理により取得した複数の画像データを用いて出力処理した結果の概略を示すプレビューを「Ｐｒｉｎｔ」と表された面２６０３内に表示処理部１９０１が表示する。この後に、利用者がスタートキー３０８を押下することで、出力処理部４１２による出力処理が行われる。このように、選択受付部４０３が、１つの入力機能から複数の入力対象の選択を受け付けた場合、入力処理部４１１は、同一の入力機能を用いて複数の画像データの入力処理ができる。さらに、出力処理部４１２は、入力処理された複数の画像データから生成された１つ又は複数の画像データを出力処理することができる。
【０１７５】
次に、仮想立方体に表示された入力機能標記が表された面の選択を受け付けた場合に、表示処理部１９０１が、選択を受け付けた面を拡大させて表示させる入力対象の選択を受け付ける画面について説明する。
【０１７６】
図２７は、仮想立方体の「Ｓｃａｎ」と表された面の選択を受け付けた場合に、表示処理部１９０１が表示する入力対象の選択を受け付ける画面例を示した図である。表示処理部１９０１が、仮想立方体の一面の拡大表示処理を行い、本図に示すように、この拡大された一面に「Ｐａｐｅｒ」と示された項目キーが表示される。利用者がこの「Ｐａｐｅｒ」を押下することで、選択受付部４０３は、項目キー「Ｐａｐｅｒ」の選択を受け付け、入力対象として紙が選択を受け付けたものとみなす。これにより入力処理部４１１が紙を入力対象として選択を受け付けたものと判断し、紙原稿の入力処理を開始する。なお、本図に示すように、項目キーが１つしかない場合は省略しても良い。そして、その後に表示処理部１９０１が、入力処理された結果の概略を示すプレビューを表示する。他の入力機能が表された面が押下された場合も同様の処理手順で、入力処理された結果の概略を示したプレビューの表示まで行われる。
【０１７７】
図２８は、仮想立方体の「Ｒｅｃｅｉｖｅ」と表された面の選択を受け付けた場合に、表示処理部１９０１が表示する入力対象の選択を受け付ける画面例を示した図である。上述した処理手順と同様に、拡大された一面に「Ｆａｘ」及び「Ｅ＿ｍａｉｌ」と示された項目キーが表示される。利用者がこの「Ｆａｘ」を押下することで、選択受付部４０３は、項目キー「Ｆａｘ」の選択を受け付け、入力対象としてＦａｘ原稿が選択を受け付けたものとみなす。また、利用者が「Ｅ＿ｍａｉｌ」を押下した場合、選択受付部４０３が、項目キー「Ｅ＿ｍａｉｌ」の選択を受け付け、利用者認証部４０６で認証された利用者名義で受信したメールを入力対象として選択を受け付けたものとみなす。これらの選択を受け付けた入力対象に対して、入力処理部４１１が入力処理を行う。
【０１７８】
図２９は、仮想立方体の「Ｌｏａｄ」と表された面の選択を受け付けた場合に、表示処理部１９０１が表示する入力対象の選択を受け付ける画面例を示した図である。そして、本図に示すように、表示処理部１９０１は、拡大された一面に項目キー「ＭＦＰ」、「Ｄｅｓｋｔｏｐ」、「Ｉｎｔｅｒｎｅｔ」、「Ｎｅｔｗｏｒｋ」及び「Ｓｔｏｒａｇｅ」を表示する。利用者がこれらの項目キーのいずれかを押下することで、選択受付部４０３は、押下された項目キーの選択を受け付け、対応する媒体を入力対象の選択を受け付けたものとみなす。
【０１７９】
次に、仮想立方体の出力機能標記が表された面の選択を受け付けた場合、表示処理部１９０１が、押下された面を拡大させて表示させる出力先の選択を受け付ける画面及びその後に表示される詳細な設定画面について説明する。
【０１８０】
図３０は、仮想立方体の「Ｐｒｉｎｔ」と表された面の選択を受け付けた場合に、表示処理部１９０１が表示する出力先の選択を受け付ける画面例を示した図である。表示処理部１９０１が、仮想立方体の一面の拡大表示処理を行う。そして、本図に示すように、表示処理部１９０１は、この拡大された一面に項目キー「Ｐａｐｅｒ」を表示する。利用者が項目キー「Ｐａｐｅｒ」を押下することで、選択受付部４０３は、押下された項目キーの選択を受け付け、出力先として紙媒体の選択を受け付けたものとみなす。なお、本図に示すように、項目キーが１つしかない場合は省略しても良い。その後に表示処理部１９０１が、本機能により出力処理された場合のプレビュー及び詳細な設定画面を表示する。他の出力機能標記を示す面が押下された場合も同様の処理で、表示処理部１９０１は、出力処理された結果の概略を示したプレビューの表示まで行われる。
【０１８１】
図３１は、選択受付部４０３が項目キー「Ｐａｐｅｒ」の選択を受け付けた場合に、表示処理部１９０１が表示するプレビュー及び詳細な設定画面を示した説明図である。本図に示すように、表示処理部１９０１は、入力処理された画像データに基づいて、出力処理の結果の概略を示すプレビュー及び詳細な設定画面を表示する。この画面においては、プレビュー画面の周囲に詳細な設定を行うための各種設定項目がブロック単位で表示されている。これらブロックには各項目で現在設定されている条件が表示されている。そして、利用者が、このブロックを押下することで、選択受付部４０３が、ブロックが押下されたことを受け付ける。そして、表示処理部１９０１は、押下されたブロックに配置されていた仮想多面体を回転させて異なる条件が示された面を表示する。そして、選択受付部４０３は、当該ブロックで表示された新たな条件が設定されたものとして受け付ける。
【０１８２】
具体的には、本図に示すように、「画面集約」と示されたブロックを押下すると、選択受付部４０３が、当該ブロックが選択されたものとして受け付ける。そして、表示処理部１９０１が、当該ブロックに配置されていた仮想多面体が回転する表示を行い、回転した仮想多面体の「２面集約」と示された面が当該ブロックの位置にきた時点で仮想多面体を静止する表示を行う。そして、選択受付部４０３が、「２面集約」を選択されたものとして受け付ける。そして、表示処理部１９０１は、画面上のプレビューに、選択を受け付けた「２面集約」で出力処理した結果に変更して表示する。これにより、利用者がブロック単位で表示された各種設定項目を押下した場合、表示処理部１９０１が各項目で新たに設定された条件に対応するプレビューを表示する。これにより、利用者は、出力処理結果を容易に把握できる。また、ブロック毎の機能を利用者が知らない場合でも、当該ブロックを押下することで出力処理した結果の概略を示したプレビューが変更されるので、利用者は直感的にブロック毎の項目の内容を理解できる。また、このような各種設定項目をブロック単位で示したので、ＭＦＰ１９００毎に利用可能な設定項目の配置を、追加、変更又は削除等のカスタマイズを容易に行うことができる。
【０１８３】
図３２は、選択受付部４０３が「Ｓｅｎｄ」と表された面の選択を受け付けた場合に、表示処理部１９０１が表示する出力先の選択を受け付ける画面例を示した図である。上述した処理手順と同様に、表示処理部１９０１は、拡大された一面に項目キー「Ｆａｘ」及び「Ｅ＿ｍａｉｌ」を表示する。利用者がこの「Ｆａｘ」を押下することで、選択受付部４０３は、項目キー「Ｆａｘ」の選択を受け付け、さらに出力先としてＦａｘ原稿が選択を受け付けたものとみなす。また、利用者が「Ｅ＿ｍａｉｌ」を押下した場合、選択受付部４０３は、項目キー「Ｅ＿ｍａｉｌ」の選択を受け付け、利用者認証部４０６により認証された利用者名義でメールを送信することの選択を受け付けたものとみなす。
【０１８４】
また、項目キーが選択を受け付けた場合に、さらに入力対象又は出力先について詳細に設定する画面に切り替えても良い。図３３は、選択受付部４０３が項目キー「Ｆａｘ」の選択を受け付けた後に、表示処理部１９０１が表示する画面例を示した図である。本図に示したように項目キー「Ｆａｘ」の選択を受け付けた後に、表示処理部１９０１は出力する際の詳細設定を行うための画面を表示する。本画面により利用者がＦａｘの送信先や、送信する際の解像度等を詳細に選択した場合、選択受付部４０３がこれらの選択を受け付ける。そして、表示処理部１９０１が、これら受け付けられた選択を反映したプレビューを表示する。
【０１８５】
また、本実施の形態とは異なるが、本図に示した「送り先」及び詳細設定を行う画面に、プレビューを同時に表示しても良い。なお、項目キー「Ｆａｘ」の選択を受け付けた場合について説明したが、他の項目キーの選択を受け付けた場合も同様に、表示処理部１９０１が、詳細を設定する画面を表示しても良い。
【０１８６】
図３４は、仮想立方体の「Ｓａｖｅ」と表された面の選択を選択受付部４０３が受け付けた場合に、表示処理部１９０１が表示する出力先の選択を受け付ける画面例を示した図である。そして、本図に示すように、表示処理部１９０１は、拡大された一面に項目キー「ＭＦＰ」、「Ｄｅｓｋｔｏｐ」、「Ｎｅｔｗｏｒｋ」及び「Ｓｔｏｒａｇｅ」を表示する。利用者がこれらの項目キーのいずれかを押下することで、選択受付部４０３は、押下された項目キーの選択を受け付け、項目キーに対応する媒体を出力先として選択を受け付けたものとみなす。
【０１８７】
このように、機能が表された面が押下された後に、入力対象又は出力先を示す項目キーを表示することで、利用者が入力処理及び出力処理を容易且つ詳細に設定することができる。
【０１８８】
また、以上のように構成された本実施の形態にかかるＭＦＰ１９００で行われる入力機能系画面の表示処理から利用者による選択を受け付けて出力処理するまでの処理手順は、入力機能系画面が仮想立方体の入力機能標記が表された複数の面であり、出力機能系画面が仮想立方体の出力機能標記が表された複数の面であること以外は、第１の実施の形態の図１３で示した処理手順と同様であるため説明を省略する。
【０１８９】
また、本実施の形態においては、表示処理部１９０１は液晶タッチパネル３２０に、機能を表示するための３次元形状モデルとして立方体を用いたが、本発明により表示される３次元形状モデルを立方体に制限するものではない。下記に示すように様々な３次元形状モデルが考えられる。なお、下記に示した３次元形状モデル以外にも入力機能標記及び出力機能標記を外面に表された３次元形状モデルであれば、どのような３次元形状モデルを用いても良い。
【０１９０】
図３５は、面毎に機能が表された正８面体を用いた場合の一例を示した図である。本図に示した３次元形状モデルの場合、対向する面に所定の関係を有する機能を表した面を配置することで、利用者が直感的に機能を把握することができる。また、本図に示した３次元形状モデルを液晶タッチパネル３２０に表示した場合でも、ＭＦＰは上述した実施の形態と同様に機能の表された面の選択の受け付け、及び選択を受け付けた面に対応する機能による処理を実行できる。なお、後述する図３６、図３７、図３８及び図３９についても同様とする。また、上述した実施の形態は、３次元形状モデルを正多面体に制限するものではない。そこで、次に多角柱を用いた場合について説明する。
【０１９１】
図３６は、側面毎に機能を示した６角柱を用いた場合の一例を示した図である。また、図３７は、側面毎に機能を示した８角柱を用いた場合の一例を示した図である。図３６及び図３７で示したように多角柱の側面の各面に機能を表しても良い。また、多角柱の面をさらに多くした場合に導出できる円柱の側面に複数の所定の領域を設けて、当該領域毎に機能を表しても良い。
【０１９２】
また、上述した実施の形態は、仮想多面体の対向する面に所定の関係を有する入力機能が表された面及び出力機能が表された面を配置したが、このような表示に制限するものではない。図３８は、面毎に機能が表された正４面体を用いた場合の一例を示した図である。正４面体では、対向する面を備えていないため、所定の関係を有する入力機能が表された面及び出力機能が表された面を対向する位置に配置できない。しかしながら、正４面体を回転させて、液晶タッチパネルに表示される面を切り替えることで、利用者に提供できる機能を認識させることが可能である。
【０１９３】
また、上述した実施の形態は、面毎に入力機能及び出力機能を表した３次元形状モデルを表示することに制限するものではない。例えば、円柱の側面等に複数の機能を表しても良い。図３９は、側面の所定の領域毎に入力機能及び出力機能が表された円柱を用いた場合の一例を示した図である。本図に示すように、液晶タッチパネル上における円柱の表示で、入力機能が所定の領域毎に表されている状態が、上述した実施の形態と同様に円柱を回転させて、円柱の表示される領域を切り替えることで、出力機能が所定の領域毎に表されている状態になる。また、このような円柱を液晶タッチパネルに表示する表示処理部は、上述した実施の形態と同様に、所定の関係を有する入力機能が表された領域及び出力機能が表された領域を円柱の対向する位置に配置しても良い。
【０１９４】
また、上述した実施の形態では静止した状態では、表示処理部は、仮想立方体上で、入力機能が表された複数の面及び出力機能が表された複数の面のうちいずれか一方のみを表示していたが、３次元形状モデルの表示をこのような表示に制限するものではない。例えば、表示処理部は、静止した状態で入力機能が表された面と出力機能が表された面を同時に表示してもよい。例えば、表示処理部は、所定の関係を有する入力機能「Ｓｃａｎ」が表された面と出力機能「Ｐｒｉｎｔ」が表された面が静止した状態で同時に表示されるように各面に入力機能標記及び出力機能標記を配置する等が考えられる。
【０１９５】
また、本実施の形態においても、第１の実施の系態と同様に入力機能標記が表された面及び出力機能標記が表された面の選択の受け付ける順序を制限するものではない。
【０１９６】
本実施の形態で示したＭＦＰ１９００の表示処理部１９０１は、面毎に機能の標記が表わされた仮想立方体を回転させる表示を行うことで、入力機能標記を表された面及び出力機能標記を表された面の表示を切り替える。これにより、第１の実施の形態で示したものと同様の効果を得られる。さらに、仮想立方体を回転する表示を行うことで、入力機能標記が表された面及び出力機能標記が表された面の位置関係を立体的に把握することができる。本実施の形態では、対向する位置に所定の関係を有する面を配置しているので、表示されている面又は表示されていない面を問わず、各面で表されている機能を、利用者が直感的に把握できる。
【０１９７】
（第２の実施の形態の変形例１）
上述した第２の実施の形態においては、選択受付部４０３が、液晶タッチパネル３２０に仮想立方体の面の選択を受け付けた後に、表示処理部１９０１が選択を受け付けた面に対応する入力対象又は出力先を示す項目キーを表示した。つまり、表示処理部が、予め選択の受け付け可能な複数の機能が表示し、機能の選択を受け付けた場合に当該機能に対応する項目を表示するという、いわゆる階層構造を形成していた。しかしながら、上述した実施の形態は、階層構造的に表示する項目を制御することに制限するものではない。そこで、本変形例では、最初から全ての項目が表示されている、つまり面毎に対応する項目キーが予め表示されている場合の例を説明するものである。
【０１９８】
図４０は、表示処理部により液晶タッチパネル３２０に表示される画面の一例を示した図である。本図に示すように、本変形例の表示処理部は、面毎に入力対象又は出力先を示す全ての項目キーを最初から表示する。つまり、機能毎に対応する入力対象及び出力先を一覧表示している。
【０１９９】
また、本変形例では、選択を受け付けた面又は項目キーの色を変更するのみで、プレビューの表示は行わない。本変形例のように表示処理部は、プレビュー表示せずに、選択を受け付けた機能が表された項目キーの表示のみ行っても良い。
【０２００】
また、本変形例とは異なるが、面毎に予め項目キーを一覧表示しておき、利用者により項目キーが選択を受け付けた場合に限り、選択を受け付けた項目キーに対応するプレビューを表示してもよい。
【０２０１】
さらに異なる例としては、表示処理部は、最初は仮想立方体の面毎に項目キーを表示せず、仮想立方体の面の選択を受け付けた時に面に含まれている項目キーを表示する。そして、利用者が表示された項目キーを押下した場合に、表示処理部は、押下されなかった項目キーは再び非表示とし、押下された項目キーは当該面上に、色を変更して表示することとし、上述した実施の形態のようにプレビューを行わない等が考えられる。このように、上述した構成を、様々な構成と組み合わせて表示することができる。
【０２０２】
（第２の実施の形態の変形例２）
上述した第２の実施の形態においては、表示処理部１９０１が液晶タッチパネル３２０に表示する３次元形状モデルを１つとしたが、液晶タッチパネル３２０に表示する３次元形状モデルを１つに制限するものではない。そこで、本変形例では、表示処理部が仮想立方体を複数個表示する場合の例を説明するものである。
【０２０３】
図４１は、本変形例による表示処理部により液晶タッチパネル３２０に表示される画面例を示した図である。本図で示すように、表示処理部は、仮想立方体毎に上述した実施の形態と同様に所定の時間間隔で回転して表示することで、入力機能標記が表された面の複数個表示と出力機能標記が表された面の複数個表示を切り替える。
【０２０４】
図４１に示すように、表示処理部は、従来のＭＦＰが備えていた「コピー」、「ＦＡＸ」及び「データ印刷」等のタイトルが付された仮想立方体を表示する。また、選択受付部は、これらの仮想立方体毎に、タイトルの機能を果たすために必要な入力機能標記が表された面と出力機能標記が表された面の選択を予め受け付けているものとする。例えば、「コピー」と付された仮想立方体は、入力機能標記「Ｓｃａｎ」と表された面と出力機能標記「Ｐｒｉｎｔ」と表された面の選択を予め受け付けている状態で、表示処理部が表示する。これら仮想立方体の下の「コピー」等のタイトルを押下することで、従来通りの手順で処理を実行することができる。さらに、従来通りの処理手順を示す仮想立方体を表示することで、処理を入力機能と出力機能の組合せとして認識できるので、仮想立方体の面毎に表された入力機能及び出力機能を、利用者が直感的に把握できる。これにより、利用者は、ショートカット欄に記載された仮想立方体を用いて、利用者が実行したい処理に対応する入力機能が表された面の選択を受け付け、出力機能が表された面の選択を受け付けて、実行処理部がこれらの面に対応する機能を組み合わせて処理を実現することが容易となる。これにより、利用者が所望する処理に対応する組合せを生成することが容易になり、利便性及び操作性が向上する。
【０２０５】
例えば、利用者は、「コピー」であればスキャンと印刷の組合せであることが認識できる。利用者は、このような既存の処理手順について機能の組合せを把握することで、所望する機能の組合せを作り出すことが容易になる。
【０２０６】
そして、ショートカット欄に記載された仮想立方体について、選択受付部で入力機能標記が表された面及び出力機能標記が表された面の選択を受け付けて、当該仮想立方体をカスタマイズした場合、この仮想立方体を保存することができる。これにより利用者が、再ログインした場合に、表示処理部は、保存した状態の仮想立方体を表示する。つまり、選択受付部が、前回選択を受け付けていた面の選択を受け付け、表示処理部が選択を受け付けた面の色を変更して表示する。これにより、前回選択を受け付けた面に対応する機能を用いて処理を行うことができる。つまり、煩雑な処理を、処理を行う度に設定する必要が無くなり、当該処理を容易に実行することができる。
【０２０７】
また、このカスタマイズした仮想立方体は、名前を付けて保存することができる。この仮想立方体に付けられた名前を、当該仮想立方体で選択を受け付けた面に対応する機能及び詳細な設定と共に保存することができる。つまり、再ログイン等した後に、利用者は液晶タッチパネル３２０に表示された仮想立方体の名前を参照することで、当該仮想立方体に保存された機能及び詳細な条件を思い出すことができる。これにより、利用者は、以前実行した処理で再び実行したい場合に、該当する処理の機能及び詳細な条件が設定されている仮想立方体を特定できる。これにより、利便性が向上する。
【０２０８】
このように、保存された仮想立方体は、利用者が利用者認証部４０６により認証された後に、表示処理部が、液晶タッチパネル３２０に表示されるショートカット欄に表示する。
【０２０９】
本変形例において、上述した表示を行うことで、利用者が認識できなかった各機能の構造を把握することが可能となる。また、各機能の構造を把握することで、利用者は把握した構造に基づいて自分の好みに応じてカスタマイズすることが可能になる。
【０２１０】
また、従来の機能として表示された仮想立方体であっても、各面を押下することで、入力対象又は出力先、さらには詳細な設定画面に移動することができる。そして、このような従来から存在する機能として表示されていた仮想立方体について詳細な設定を変更した後に、変更された仮想立方体をショートカット欄に複製することができる。
【０２１１】
図４２は、液晶タッチパネル３２０上に、コピーに対応する仮想立方体をドラッグして、ショートカット欄に移動した例を説明した説明図である。本図に示すように従来の機能として表示された仮想立方体に対して詳細な設定等を行った場合、後に利用する可能性があると利用者が判断した場合に、当該仮想立方体を容易にショートカット欄に移動して保存することができる。
【０２１２】
このような構成を備えたことで、本変形例で示したＭＦＰでは、利用者が仮想立方体で表示された面毎の機能を把握できると共に、設定した機能を有効に利用することができる。
【０２１３】
（第２の実施の形態の変形例３）
上述した第２の実施の形態においては、液晶タッチパネル３２０に出力機能標記が表された面の選択を受け付け、出力先の選択を受け付けた場合、表示処理部１９０１が、選択した出力先に出力処理した結果の概略をプレビューとして表示する。この表示の際に、出力処理した結果のプレビューのみ表示することに制限するものではなく、入力処理した結果の概略プレビューも同時に表示しても良い。そこで、本変形例は、出力機能標記が表された面の選択を受け付け、出力先の選択を受け付けた後、出力処理した結果の概略のプレビュー、及び入力処理した概略のプレビューを、出力機能の設定項目を示した設定画面を表示する場合について説明する。なお、他の画面及び処理手順については第２の実施の形態と同様なので説明を省略する。
【０２１４】
図４３は、出力機能標記「Ｐｒｉｎｔ」が表された面の選択を選択受付部が受け付け、出力先として項目キー「Ｐａｐｅｒ」の選択を受け付けた場合に、表示処理部が表示するプレビュー及び設定項目を示した設定画面の例を示した図である。本図に示すように、入力処理した結果の概略を示した入力処理プレビュー４３０１を画面の左上領域に表示し、出力処理した結果の概略を示した出力処理プレビュー４３０２を画面の右下領域に表示している。そして、上述した実施の形態で示したようにプレビュー画面の周囲に詳細な設定を行うための各種設定項目がブロック単位で表示されている。
【０２１５】
そして、利用者がこのブロックを押下して、表示処理部が、ブロックに配置されていた仮想多面体を回転させて異なる条件が示された面を表示した場合、選択受付部は、当該ブロックで表示された条件を新たに設定されたものとして受け付ける。これにより、利用者が当該ブロックを押下することで、当該ブロックに対応する設定項目で新たな条件を設定することを可能とする。そして、表示処理部が、設定項目で新たに設定された条件を用いた出力処理結果を出力処理プレビュー４３０１に表示する。これにより、出力処理した結果を出力前に把握することができる。また、この際に、入力処理プレビュー４３０１を対比して確認することができるので、出力処理を行うためにどのような設定がなされたのか視覚的に把握することができる。このようにブロック単位で条件を設定できるので、操作性が向上する。また、プレビューで入力処理結果と出力処理結果を対比できるので利便性が向上する。
【０２１６】
（第３の実施の形態）
上述した実施の形態では表示処理装置を実行するＭＦＰの場合について説明したが、表示処理装置をＭＦＰに制限するものではない。そこで第３の実施の形態では表示処理装置４４００を用いた場合について説明する。
【０２１７】
図４４は、本実施の形態にかかる表示処理装置４４００の機能ブロック図である。本図に示すように表示処理装置４４００は、第２の実施の形態にかかるＭＦＰ１のアプリケーション層１９５１の内部とほぼ同様の構成を備え、異なる点としては、表示変更処理部１９０１が表示処理部４４０３に変更され、さらに表示部４４０１と操作部４４０２が追加されている。また、アプリケーション層４５１の外部にあった記憶部４０４を備えている。
【０２１８】
表示処理部４４０３は、第２の実施の形態と同様に、入力機能標記が表された複数の面、出力機能標記が表された複数の面を仮想立方体上に表示する。また、表示処理部４４０３が表示する入力機能標記及び出力機能標記は、表示処理装置３７００で選択を受け付けた際に実行可能な機能を示したものとする。つまり、具体的な標記は第２の実施の形態のＭＦＰ１９００と異なる。それ以外については、第２の実施の形態でＭＦＰ１９００の表示処理部１９０１と同様なので説明を省略する。なお、表示処理部４４０３は、複数の仮想立方体を表示しても良いし、仮想立方体を１つ表示しても良い。
【０２１９】
また、本実施の形態とは異なるが、表示処理部は、仮想立方体を用いずに第１実施の形態のように入力機能標記が表された項目キー及び出力機能標記が表された項目キーを表示しても良い。
【０２２０】
また、表示処理部４４０３は、選択受付部４０３が項目キーの選択を受け付けた場合、選択を受け付けた面に対応する機能を設定するための設定画面を表示してもよい。
【０２２１】
表示部４４０１は、表示処理部４０１により、入力機能標記が表された複数の面と出力機能標記が表された複数の面が配置された仮想立方体が表示される。この表示部４４０１は、例えば携帯可能な表示処理装置４４００に組み込まれた液晶パネル等が考えられる。また、表示部４４０１は、所定のサイズの表示領域を有する。
【０２２２】
また、表示部４４０１の表示領域の所定のサイズを制限するものではないが、表示処理装置４４００に備え付けられる以上、表示処理装置４４００より小さいサイズが好ましい。この上で、本実施の形態において表示部４４０１の表示領域のサイズは、利用者に対して実行可能な機能を認識させることを目的として設計されたサイズとする。
【０２２３】
また、利用者に対して実行可能な機能を認識させることを目的として設計されたサイズを有する表示部を備えた表示処理装置は、機能を表示できる必要十分の表示部を備え、且つ表示部のサイズより携帯性、省スペース性又は他の機能を優先して設計された各種装置とする。例えば、上述した実施の形態で説明した画像形成装置、ＡＶ（Audio Visual）機器や、携帯型の端末又は携帯電話等が考えられる。
【０２２４】
また、利用者に対して実行可能な機能を認識させることを目的として設計されたサイズを有する表示部は、具体的には同一機能を認識させるにも係わらず複数の異なるサイズが存在する、つまり具体的に機能が表示された状態を想定せずに設計される汎用性の高いＰＣ（Personal Computer）等のディスプレイを除くことを意味する。というのは、これらＰＣ等で機能を表示するためのレイアウトを設計する際、通常はディスプレイの表示領域を考慮して設計される。つまり、ディスプレイが判断材料の主となる点で上述した装置とは異なる。
【０２２５】
操作部４４０２は、利用者が表示処理装置４４００に対して操作を行うために設けられたインターフェースとする。この操作部４４０２は、利用者が上述した入力機能標記が表された面や出力機能標記が表された面の選択で入力が行えるインターフェースであればどの様な機構でも良い。
【０２２６】
また、操作部４４０２からの入力で選択受付部４０３が選択を受け付ける。つまり、上述した第１及び第２の実施の形態のように表示部として備えられた液晶パネルは、上述した実施の形態のように利用者の指などで触接することで入力可能な液晶タッチパネルである必要はないことを意味する。
【０２２７】
また、本実施の形態の表示処理装置４４００を組み込まれた装置としては、例えば音楽データを保存して他の機器への出力又は再生等が可能なＡＶ機器などが考えられる。つまり、入力機能及び出力機能を備えた装置であり、装置が備えた液晶パネル等の表示部に表示が可能な装置であり、機能を選択するための液晶タッチパネル又は複数のボタン等を有するインターフェースを備えた装置であれば、どのような装置でも良い。
【０２２８】
他の例としては、カーナビゲーション装置に、本実施の形態の表示処理装置４４００を組み込んでも良い。
【０２２９】
また、本実施の形態にかかる表示処理装置４４００を、入力機能が表された複数の面及び出力機能が表された面を保持する仮想立方体を表示するために必要十分なサイズの表示部とインターフェースを備え、携帯して用いられる機器等にも組み込むことができる。例えば、ＰＤＡのような液晶タッチパネル等を備えた携帯型の端末等が考えられる。
【０２３０】
また、携帯電話等にも適用することができる。携帯電話を用いた例としては、組み込みプログラム等を起動して、何らかの処理を行うための入力機能が表された面及び出力機能が表された面を表示し、当該面の選択を受け付ける場合などが考えられる。この場合、上述した実施の形態と同様に、携帯電話の表示画面に入力機能が表された複数の面の表示と出力機能が表された複数の面の表示を交互に切り替える。これにより、機能を表示するために利用できる面積が小さくとも、切り替えることでより多くの入力機能が表された面又は出力機能が表された面を表示することができる。これにより複数の機能を備えている場合でも適切に入力機能が表された面又は出力機能が表された面の選択を受け付けることができる。
【０２３１】
なお、携帯電話の場合の入力機能が表された面及び出力機能が表された面の選択の受け付けの例は、“上下左右”及び“決定”が割り当られたダイヤルボタンの押下することで、これらの面を選択し、選択を受け付けることができる。このように、携帯電話が備えている標準的なインターフェースでも利用者が所望する入力機能及び出力機能の選択を受け付けることが可能になる。
【０２３２】
また、表示処理装置４４００は、上述した例以外としては携帯型ゲーム端末等に用いても良い。このように表示部及びインターフェースが十分でない装置においても、入出力機能の設定が容易となり、操作性が向上する。
【０２３３】
また、本実施の形態とは異なるが、表示処理装置の操作部にタッチパネル等を用いても良い。例えば、タッチパネルを備えた装置で、表示部に回転する仮想立方体が表示され、利用者がタッチパネルを押下することで表示された入力機能標記が表された面及び出力機能標記が表された面の選択を受け付ける。このように、入力インターフェースが制限されている装置で自動的に入力機能が表される領域と出力機能が表される領域を切り替えて表示することで、選択可能な入出力機能の認識及び入出力機能の設定が容易となり、操作性が向上する。
【０２３４】
なお、上述した実施の形態及び変形例で示したＭＦＰで実行される表示処理プログラムは、ＲＯＭ等に予め組み込まれて提供される。
【０２３５】
また、上述した実施形態及び変形例で示したＭＦＰで実行される表示処理プログラムは、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録して提供するように構成してもよい。
【０２３６】
さらに、本実施形態のＭＦＰで実行される表示処理プログラムを、インターネット等のネットワークに接続されたコンピュータ上に格納し、ネットワーク経由でダウンロードさせることにより提供するように構成しても良い。また、本実施形態のＭＦＰで実行される表示処理プログラムをインターネット等のネットワーク経由で提供または配布するように構成しても良い。
【０２３７】
本実施の形態のＭＦＰで実行される表示処理プログラムは、上述した各部（表示処理部、切替部、選択受付部、実行処理部及び利用者認証部、実施の形態によってはさらに生成部）を含むモジュール構成となっており、実際のハードウェアとしてはＣＰＵ（プロセッサ）が上記ＲＯＭから表示処理プログラムを読み出して実行することにより上記各部、実施の形態によってはさらに生成部が主記憶装置上にロードされ、表示処理部、切替部、選択受付部、実行処理部及び利用者認証部が主記憶装置上に生成されるようになっている。
【産業上の利用可能性】
【０２３８】
以上のように、本発明にかかる表示処理装置、表示処理方法及び表示処理プログラムは、サイズ等に制限のある表示部に表示処理する際に有用であり、特に、入力機能及び出力機能を表示する技術に適している。
【図面の簡単な説明】
【０２３９】
【図１】第１の実施の形態に係るＭＦＰを取り巻くネットワーク環境を説明するためのネットワーク図である。
【図２】第１の実施の形態にかかるＭＦＰのハードウェア構成を示すブロック図である。
【図３】ＭＦＰの操作パネルの一例を示した図である。
【図４】第１の実施の形態にかかるＭＦＰの機能ブロック図である。
【図５】第１の実施の形態に係る表示処理部により液晶タッチパネルに表示される画面の一例を示した図である。
【図６】第１の実施の形態における液晶タッチパネルに表示された画面から入力処理に用いる機能を選択するまでの手順を説明した説明図である。
【図７】第１の実施の形態における液晶タッチパネルに表示された画面から出力処理に用いる機能を選択するまでの手順を説明した説明図である。
【図８】第１の実施の形態にかかるＭＦＰにおいて、「Ｓｃａｎ」及び「Ｐｒｉｎｔ」の選択を受け付けた後に液晶タッチパネルに表示に表示される画面の一例を示した図である。
【図９】第１の実施の形態にかかるＭＦＰにおいて、項目キー「Ｌｏａｄ」が選択の選択を受け付けた後で、表示処理部が、液晶タッチパネルにサブ項目キーとして「ＭＦＰ」及び「ＰＣ」を表示した画面の一例を示した図である。
【図１０】第１の実施の形態にかかるＭＦＰにおいて、入力機能の項目キー「Ｓｃａｎ」及び「Ｌｏａｄ」の選択を受け付け、出力機能の項目キー「Ｐｒｉｎｔ」の選択を受け付けた場合に、表示処理部が液晶タッチパネルに表示される画面の一例を示した図である。
【図１１】第１の実施の形態にかかるＭＦＰにおいて、入力機能の項目キー「Ｒｅｃｅｉｖｅ」の選択を受け付けた後、さらに受信元として「ＦＡＸ」及び「Ｍａｉｌ」の選択を受け付けた場合に、表示処理部が液晶タッチパネルに表示する画面例を示した図である。
【図１２】第１の実施の形態にかかるＭＦＰにおいて、入力機能の項目キー「Ｓｃａｎ」の選択を受け付け、出力機能の項目キー「Ｓａｖｅ」を受け付けた後、書込先として「ＰＣ」及び「ＭＦＰ」の選択を受け付けた場合に、表示処理部が液晶タッチパネルに表示する画面例を示した図である。
【図１３】第１の実施の形態にかかるＭＦＰにおける入力機能系画面の表示処理から利用者による選択を受け付けて出力処理するまでの処理の手順を示すフローチャートである。
【図１４】液晶タッチパネルに表示する項目キーを横に配列した場合の例を示した図である。
【図１５】液晶タッチパネルに表示する項目キーを斜に配列した場合の例を示した図である。
【図１６】液晶タッチパネルに表示する項目キーを入れ子構造により配置した場合の例を示した図である。
【図１７】液晶タッチパネルに表示する項目キーを放射状に配置した場合の例を示した図である。
【図１８】第１の実施の形態の変形例であるＭＦＰの表示処理部により液晶タッチパネルに表示される画面の一例を示した図である。
【図１９】第２の実施の形態にかかるＭＦＰの機能ブロック図である。
【図２０】第２の実施の形態にかかるＭＦＰの表示処理部により液晶タッチパネルに表示される画面の一例を示した図である。
【図２１】第２の実施の形態にかかるＭＦＰの切替部による制御により表示処理部が仮想立方体を回転させた場合の例を示した説明図である。
【図２２】第２の実施の形態にかかるＭＦＰの液晶タッチパネルに入力機能標記が表された面の選択を受け付けていない仮想立方体の表示から、入力機能標記が表された面の選択を受け付けた仮想立方体の表示までの手順を説明した説明図である。
【図２３】第２の実施の形態にかかる液晶タッチパネルに出力機能標記が表された面の選択を受け付けていない仮想立方体の表示から、出力機能標記が表された面の選択を受け付けた仮想立方体の表示までの手順を説明した説明図である。
【図２４】第２の実施の形態にかかるＭＦＰの液晶タッチパネルに表示された仮想立方体から、「Ｓｃａｎ」と表された面及び「Ｐｒｉｎｔ」と表された面の選択を選択受付部が受け付けた後、表示処理部が表示した仮想立方体の一例を示した説明図である。
【図２５】第２の実施の形態にかかるＭＦＰの液晶タッチパネルに表示された仮想立方体から、選択受付部が入力機能標記「Ｓｃａｎ」と表された面及び「Ｌｏａｄ」と表された面の選択を受け付け、出力機能標記「Ｐｒｉｎｔ」と表された面の選択を受け付けた後に、表示処理部が表示処理した仮想立方体の一例を示した図である。
【図２６】第２の実施の形態にかかるＭＦＰの液晶タッチパネルに表示された仮想立方体から、選択受付部が入力機能標記「Ｌｏａｄ」と表された面の選択を受け付け、入力対象つまり受信元として「ＰＣ」及び「ＭＦＰ」の選択を受け付け、さらに出力機能標記「Ｐｒｉｎｔ」と表された面の選択を受け付けた後に、表示処理部が表示した仮想立方体の一例を示した図である。
【図２７】第２の実施の形態にかかるＭＦＰの液晶タッチパネルに表示された仮想立方体の「Ｓｃａｎ」と表された面の選択を受け付けた場合に、表示処理部が表示する入力対象の選択を受け付ける画面例を示した図である。
【図２８】第２の実施の形態にかかるＭＦＰの液晶タッチパネルに表示された仮想立方体の「Ｒｅｃｅｉｖｅ」と表された面の選択を受け付けた場合に、表示処理部が表示する入力対象の選択を受け付ける画面例を示した図である。
【図２９】第２の実施の形態にかかるＭＦＰの液晶タッチパネルに表示された仮想立方体の「Ｌｏａｄ」と表された面の選択を受け付けた場合に、表示処理部が表示する入力対象の選択を受け付ける画面例を示した図である。
【図３０】第２の実施の形態にかかるＭＦＰの液晶タッチパネルに表示された仮想立方体の「Ｐｒｉｎｔ」と表された面の選択を受け付けた場合に、表示処理部が表示する出力先の選択を受け付ける画面例を示した図である。
【図３１】第２の実施の形態にかかるＭＦＰの液晶タッチパネルに表示された画面で、選択受付部が項目キー「Ｐａｐｅｒ」の選択を受け付けた場合に、表示処理部が表示するプレビュー及び詳細な設定画面を説明する説明図である。
【図３２】第２の実施の形態にかかるＭＦＰの液晶タッチパネルに表示された仮想立方体の「Ｓｅｎｄ」と表された面の選択を選択受付部が受け付けた場合に、表示処理部が表示する出力先の選択を受け付ける画面例を示した図である。
【図３３】第２の実施の形態にかかるＭＦＰの液晶タッチパネルに表示された画面から、選択受付部が項目キー「Ｆａｘ」の選択を受け付けた後に表示する画面例を示した図である。
【図３４】第２の実施の形態にかかるＭＦＰの液晶タッチパネルに表示された仮想立方体の「Ｓａｖｅ」と表された面の選択を選択受付部が受け付けた場合に、表示処理部が表示する出力先の選択を受け付ける画面例を示した図である。
【図３５】第２の実施の形態と異なる例として液晶タッチパネルに、面毎に機能を示した正８面体を用いた場合の一例を示した図である。
【図３６】第２の実施の形態と異なる例として液晶タッチパネルに、側面毎に機能を示した６角柱を用いた場合の一例を示した図である。
【図３７】第２の実施の形態と異なる例として液晶タッチパネルに、側面毎に機能を示した８角柱を用いた場合の一例を示した図である。
【図３８】第２の実施の形態と異なる例として液晶タッチパネルに、面毎に機能を示した正４面体を用いた場合の一例を示した図である。
【図３９】第２の実施の形態と異なる例として液晶タッチパネルに、側面の所定の領域毎に入力機能標記及び出力機能標記が表された円柱を用いた場合の一例を示した図である。
【図４０】第２の実施の形態の変形例１による表示処理部により液晶タッチパネルに表示される画面の一例を示した図である。
【図４１】第２の実施の形態の変形例２による表示処理部により液晶タッチパネルに表示される画面例を示した図である。
【図４２】第２の実施の形態の変形例２にかかるＭＦＰにおいて液晶タッチパネル上に、コピーに対応する仮想立方体をドラッグして、ショートカット欄に移動した例を説明した説明図である。
【図４３】第２の実施の形態の変形例３によるＭＦＰにおいて、出力機能標記「Ｐｒｉｎｔ」が表された面の選択を受け付け、項目キー「Ｐａｐｅｒ」の選択を受け付けた場合に、表示処理部が表示するプレビュー及び詳細な設定画面の画面例を示した図である。
【図４４】第３の実施の形態にかかる表示処理装置の機能ブロック図である。
【符号の説明】
【０２４０】
１、１９００  ＭＦＰ
１０  コントローラ
１１  ＣＰＵ
１２  システムメモリ（ＭＥＭ−Ｐ）
１２ａ  ＲＯＭ
１２ｂ  ＲＡＭ
１３  ノースブリッジ（ＮＢ）
１４  サウスブリッジ（ＳＢ）
１５  ＡＧＰバス
１６  ＡＳＩＣ
１７  ローカルメモリ（ＭＥＭ−Ｃ）
１８  ハードディスクドライブ（ＨＤＤ）
２０  操作部
３０  ＦＣＵ
４０  ＵＳＢ
５０  ＩＥＥＥ１３９４インターフェース
６０  エンジン部
３００  操作パネル
３０１  初期設定キー
３０２  コピーキー
３０３  コピーサーバーキー
３０４  プリンタキー
３０５  送信キー
３０６  テンキー
３０７  クリア／ストップキー
３０８  スタートキー
３０９  予熱キー
３１０  リセットキー
３２０  液晶タッチパネル
４０１、１９０１  表示処理部
４０２、１９０２  切替部
４０３  選択受付部
４０４  記憶部
４０５  実行処理部
４０６  利用者認証部
４１１  入力処理部
４１２  出力処理部
４２１  スキャナ制御部
４２２  プロッタ制御部
４２３  蓄積制御部
４２４  配信／メール送受信制御部
４２５  ＦＡＸ送受信制御部
４２６  通信制御部
４５１、１９５１  アプリケーション層
４５２  サービス層
４５３  オペレーティングシステム
５０１、１１０１  項目キー「Ｒｅｃｅｉｖｅ」
５０２、６０１、１００１、１２０１  項目キー「Ｓｃａｎ」
５０３、９０１、１００２  項目キー「Ｌｏａｄ」
５０４  項目キー「Ｓｅｎｄ」
５０５、７０１、１００３  項目キー「Ｐｒｉｎｔ」
５０６、１１０２、１２０２  項目キー「Ｓａｖｅ」
２１０１  面「Ｒｅｃｅｉｖｅ」
２１０２、２２０３、２５０１  面「Ｓｃａｎ」
２１０３、２５０２、２６０１  面「Ｌｏａｄ」
２１０４  「Ｓｅｎｄ」と表された面
２１０５、２３０３、２５０３、２６０２  面「Ｐｒｉｎｔ」
２１０６  面「Ｓａｖｅ」
２２０１、２３０１  「ＯＫ」ボタン
２２０２、２３０２  「ＣＡＮＣＥＬ」ボタン
４３０１  入力処理プレビュー
４３０２  出力処理プレビュー
４４００  表示処理装置
４４０１  表示部
４４０２  操作部
４４０３  表示処理部
【図１】
2007041725.tif 000003
【図２】
2007041725.tif 000004
【図３】
2007041725.tif 000005
【図４】
2007041725.tif 000006
【図５】
2007041725.tif 000007
【図６】
2007041725.tif 000008
【図７】
2007041725.tif 000009
【図８】
2007041725.tif 000010
【図９】
2007041725.tif 000011
【図１０】
2007041725.tif 000012
【図１１】
2007041725.tif 000013
【図１２】
2007041725.tif 000014
【図１３】
2007041725.tif 000015
【図１４】
2007041725.tif 000016
【図１５】
2007041725.tif 000017
【図１６】
2007041725.tif 000018
【図１７】
2007041725.tif 000019
【図１８】
2007041725.tif 000020
【図１９】
2007041725.tif 000021
【図２０】
2007041725.tif 000022
【図２１】
2007041725.tif 000023
【図２２】
2007041725.tif 000024
【図２３】
2007041725.tif 000025
【図２４】
2007041725.tif 000026
【図２５】
2007041725.tif 000027
【図２６】
2007041725.tif 000028
【図２７】
2007041725.tif 000029
【図２８】
2007041725.tif 000030
【図２９】
2007041725.tif 000031
【図３０】
2007041725.tif 000032
【図３１】
2007041725.tif 000033
【図３２】
2007041725.tif 000034
【図３３】
2007041725.tif 000035
【図３４】
2007041725.tif 000036
【図３５】
2007041725.tif 000037
【図３６】
2007041725.tif 000038
【図３７】
2007041725.tif 000039
【図３８】
2007041725.tif 000040
【図３９】
2007041725.tif 000041
【図４０】
2007041725.tif 000042
【図４１】
2007041725.tif 000043
【図４２】
2007041725.tif 000044
【図４３】
2007041725.tif 000045
【図４４】
2007041725.tif 000046